(57)【要約】  処理方法、端末及びネットワークエレメントを提供する。該方法において、プライベート通信サービスの情報、移動制御情報、上位アプリケーションのルーティング情報の少なくとも１つを含む第１情報を取得することと、第１情報に基づいてネットワークアクセス動作を決定することとを含む。【選択図】  図２
2021528023.tif 000002
【特許請求の範囲】
【請求項１】
端末に応用される処理方法であって、
プライベート通信サービスの情報、移動制御情報、上位アプリケーションのルーティング情報の少なくとも１つを含む第１情報を取得することと、
前記第１情報に基づいてネットワークアクセス動作を決定することとを含む、処理方法。
【請求項２】
ネットワークアクセス動作を決定することは、
アクセス先の通信網のタイプを決定すること、アクセス先の通信網を選択すること、プライベート通信サービスをサポートするネットワークである第１ネットワークへのアクセス方式を決定することを含む、請求項１に記載の処理方法。
【請求項３】
前記のアクセス先の通信網のタイプを決定することは、
上位アプリケーションに許可される通信網のタイプに基づいて、プライベート通信網にアクセスするか、又は公衆通信網にアクセスするかを決定することを含み、
前記のアクセス先の通信網を選択することは、
ネットワークがサポートするプライベート通信網に基づいて、アクセス先の通信網を選択することを含み、
前記の第１ネットワークへのアクセス方式を決定することは、
前記端末がサポートするプライベート通信サービスの能力、及び前記端末がアクセスを要求するプライベート通信網の情報のうちの少なくとも１つを前記第１ネットワークに送信することを含む、請求項２に記載の処理方法。
【請求項４】
前記プライベート通信サービスの情報は、
プライベート通信サービスの指示情報、プライベート通信網をサポートする事業者ネットワーク情報、プライベート通信網の情報、プライベート通信サービスが許可されるエリア範囲情報、プライベート通信サービスが禁止されるエリア範囲情報、プライベート通信サービスが許可される上位アプリケーションのアプリケーション情報、プライベート通信サービスが禁止される上位アプリケーションのアプリケーション情報の少なくとも１つを含む、請求項１に記載の処理方法。
【請求項５】
前記プライベート通信網の情報は、公衆陸上移動体ネットワークＰＬＭＮの識別子、プライベート通信網の識別子、プライベート通信網のタイプの少なくとも１つを含む、請求項４に記載の処理方法。
【請求項６】
前記プライベート通信網のタイプは、タイプＡ及びタイプＢの少なくとも一方を含む、請求項５に記載の処理方法。
【請求項７】
前記移動制御情報は、
第２プライベート通信網及び公衆通信網の少なくとも１つを含む第２ネットワークへのアクセス可否、アクセスが許可される第２ネットワークのネットワーク情報、アクセスが禁止される第２ネットワークのネットワーク情報、公衆通信網へのアクセスが許可されるプライベート通信サービスのアプリケーション情報、第２ネットワークへのアクセスが許可される第１プライベート通信網のアプリケーション情報の少なくとも１つを含む、請求項１に記載の処理方法。
【請求項８】
前記上位アプリケーションのルーティング情報は、アプリケーション情報、ルーティング記述情報の少なくとも１つを含む、請求項１に記載の処理方法。
【請求項９】
前記ルーティング記述情報は、
プライベート通信サービスのネットワークスライス情報、プライベート通信サービスのデータネットワーク名ＤＮＮ、プライベート通信サービスのセッション及びサービス継続性ＳＳＣモード、プライベート通信サービスのパケットデータネットワークＰＤＮタイプ、優先的にアクセスする通信網のタイプ、アクセスが許可される通信網のタイプ、アクセスが禁止される通信網のタイプ、優先的にアクセスする通信網のネットワーク情報、アクセスが許可される通信網のネットワーク情報、アクセスが禁止される通信網のネットワーク情報、優先的にアクセスする通信サービスのタイプ、許可される通信サービスのタイプ、禁止される通信サービスのタイプの少なくとも１つを含む、請求項８に記載の処理方法。
【請求項１０】
前記通信網のタイプは、プライベート通信網、公衆通信網の少なくとも１つを含む、請求項９に記載の処理方法。
【請求項１１】
第１ネットワークエレメントに応用される処理方法であって、
前記第１ネットワークエレメントにサポートされるプライベート通信網の情報、前記第１ネットワークエレメントがプライベート通信サービスをサポートする能力、プライベート通信網のリダイレクト情報のうちの少なくとも１つを第１目標側に送信することを含む、処理方法。
【請求項１２】
前記サポートされるプライベート通信網の情報は、
サポートされるプライベート通信網の識別子、サポートされるプライベート通信網の周波数ポイント、サポートされるプライベート通信網のリダイレクトの周波数ポイント情報の少なくとも１つを含む、請求項１１に記載の処理方法。
【請求項１３】
第２ネットワークエレメントに応用される処理方法であって、
端末のプライベート通信サービスの能力、端末がアクセスを要求するプライベート通信サービスの情報、端末がアクセスを要求するプライベート通信網の情報、ＣＮネットワークエレメントがサポートするプライベート通信サービスの能力、ＣＮネットワークエレメントがサポートするプライベート通信網の情報、端末がアクセスするプライベート通信サービスの情報、端末がアクセスするプライベート通信網の情報、ＲＡＮネットワークエレメントがサポートするプライベート通信サービスの能力、ＲＡＮネットワークエレメントがサポートするプライベート通信網の情報のうちの少なくとも１つを含む第２情報を取得することと、
取得した前記第２情報に基づいて、端末のアクセス動作を許可するか否かを決定すること、及び／又は、ＣＮネットワークエレメントの選択動作を決定することを含む、処理方法。
【請求項１４】
前記の端末のアクセス動作を許可するか否かを決定することは、
前記第２ネットワークエレメントがプライベート通信網をサポートせず、端末がタイプＢのプライベート通信網へのアクセスを要求する場合、前記端末のアクセスを禁止すること、
前記第２ネットワークエレメントが第１プライベート通信網をサポートし、且つ端末が前記第１プライベート通信網へのアクセスを要求する場合、前記端末のアクセスを許可すること、
前記第２ネットワークエレメントが第１プライベート通信網をサポートし、端末がタイプＡの第２プライベート通信網へのアクセスを要求する場合、前記端末のアクセスを許可すること、
前記第２ネットワークエレメントが第１プライベート通信網をサポートし、前記第１プライベート通信網への端末のローミングを許可し、且つ前記端末がタイプＡのプライベート通信網へのアクセスを要求する場合、前記端末のアクセスを許可すること、
前記第２ネットワークエレメントが第１公衆通信網をサポートし、前記第１公衆通信網への端末のローミングを許可し、且つ前記端末がタイプＡのプライベート通信網へのアクセスを要求する場合、前記端末のアクセスを許可すること、
前記第２ネットワークエレメントが第１プライベート通信網をサポートし、第２プライベート通信網からの端末が前記第１プライベート通信網へのローミングを許可し、且つ前記端末がタイプＡのプライベート通信網へのアクセスを要求する場合、前記端末のアクセスを許可すること、
前記第２ネットワークエレメントが第１公衆通信網をサポートし、第１プライベート通信網からの端末が前記第１公衆通信網へのローミングを許可し、且つ前記端末がタイプＡのプライベート通信網へのアクセスに要求する場合、前記端末のアクセスを許可することのうちの少なくとも１つを含む、請求項１３に記載の処理方法。
【請求項１５】
前記のＣＮネットワークエレメントの選択動作を決定することは、
端末がアクセスを要求するプライベート通信網をサポートするＣＮネットワークエレメントを選択すること、
端末がアクセスを要求するプライベート通信サービスをサポートするＣＮネットワークエレメントを選択すること、
端末が前記第１プライベート通信網へのアクセスを要求する場合、前記第１プライベート通信網をサポートするＣＮネットワークエレメントを選択すること、
前記第２ネットワークエレメントが第１プライベート通信網をサポートし、端末がタイプＡの第２プライベート通信網へのアクセスを要求する場合、前記第１プライベート通信網をサポートするＣＮネットワークエレメントを選択すること、
前記第２ネットワークエレメントが第１プライベート通信網をサポートし、端末の前記第１プライベート通信網へのローミングを許可し、且つ前記端末がタイプＡのプライベート通信網へのアクセスを要求する場合、前記第１プライベート通信網をサポートするＣＮネットワークエレメントを選択すること、
前記第２ネットワークエレメントが第１公衆通信網をサポートし、端末の前記第１公衆通信網へのローミングを許可し、且つ前記端末がタイプＡのプライベート通信網へのアクセスを要求する場合、前記第１公衆通信網をサポートするＣＮネットワークエレメントを選択すること、
前記第２ネットワークエレメントが第１プライベート通信網をサポートし、第２プライベート通信網からの端末が前記第１プライベート通信網へのローミングを許可し、且つ前記端末がタイプＡのプライベート通信網へのアクセスを要求する場合、前記第１プライベート通信網をサポートするＣＮネットワークエレメントを選択すること、
前記第２ネットワークエレメントが第１公衆通信網をサポートし、第１プライベート通信網からの前記端末が前記第１公衆通信網へのローミングを許可し、且つ前記端末がタイプＡのプライベート通信網へのアクセスに要求する場合、前記第１公衆通信網をサポートするＣＮネットワークエレメントを選択することのうちの少なくとも１つを含む、請求項１３に記載の処理方法。
【請求項１６】
第３ネットワークエレメントに応用される処理方法であって、
端末のプライベート通信サービスの能力、端末が要求するプライベート通信サービスの情報、端末がアクセスを要求するプライベート通信網の情報、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報の少なくとも１つを含む第３情報を取得することと、
取得した前記第３情報に基づいて、プライベート通信サービスの情報、移動制御情報、上位アプリケーションのルーティング情報の少なくとも１つを含む第１情報を決定することとを含む、処理方法。
【請求項１７】
前記の取得した前記情報に基づいて、第１情報を決定した後には、
前記第１情報を第２目標側に送信することを更に含む、請求項１６に記載の処理方法。
【請求項１８】
端末に応用される処理方法であって、
移動制御情報、端末がアクセスするプライベート通信サービスの情報、端末がアクセスする第１プライベート通信網の情報、ネットワークエレメントがサポートするプライベート通信サービスの能力、ネットワークエレメントがサポートするプライベート通信網の情報の少なくとも１つを含む第４情報を取得することと、
前記第４情報に基づいてネットワーク移動動作を決定することとを含む、処理方法。
【請求項１９】
前記ネットワーク移動動作は、第１プライベート通信網内の移動動作、第１プライベート通信網と、第２プライベート通信網及び公衆通信網の少なくとも１つを含む第２ネットワークとの間の移動動作の少なくとも１つを含む、請求項１８に記載の処理方法。
【請求項２０】
前記のネットワーク移動動作を決定することは、
第２ネットワークにアクセスするか否かを決定すること、第１移動情報を第２ネットワークに送信すること、ローミング禁止の関連動作の少なくとも１つを含む、請求項１８に記載の処理方法。
【請求項２１】
前記の第２ネットワークにアクセスするか否かを決定することは、
第２ネットワークへのアクセスが許可される場合、第２ネットワークへアクセスすること、
第１プライベート通信網から出た場合、アクセスが許可される第２ネットワークのネットワーク情報に基づいて第２ネットワークにアクセスすること、
第２ネットワークへのアクセスが禁止される場合、第２ネットワークへのアクセスを禁止することのうちの少なくとも１つを含む、請求項２０に記載の処理方法。
【請求項２２】
前記ローミング禁止の関連動作は、
前記端末のコンテキストのリリース、プロトコルデータユニットＰＤＵセッションのハングアップ、プロトコルデータユニットＰＤＵセッションのユーザプレーン接続のリリースの少なくとも１つを含む、請求項２０に記載の処理方法。
【請求項２３】
第４ネットワークエレメントに応用される処理方法であって、
端末がアクセスするプライベート通信サービスの情報、端末がアクセスする第１プライベート通信網の情報、移動制御情報、第６ネットワークエレメントがサポートするプライベート通信サービスの能力、第６ネットワークエレメントがサポートするプライベート通信網の情報を含む第４情報を取得することと、
前記第４情報に基づいて前記端末のネットワーク移動動作を決定することとを含む、処理方法。
【請求項２４】
前記ネットワーク移動動作は、第１プライベート通信網内の移動動作、第１プライベート通信網と、第２プライベート通信網及び公衆通信網のうち少なくとも１つを含む第２ネットワークとの間の移動動作の少なくとも１つを含む、請求項２３に記載の処理方法。
【請求項２５】
前記の前記端末のネットワーク移動動作を決定することは、
目標ネットワークエレメントの選択、前記第４情報の目標ネットワークエレメントへの送信、端末の目標ネットワークエレメントへの移行、第１移動情報の送信、ローミング禁止の関連動作の少なくとも１つを含む、請求項２３に記載の処理方法。
【請求項２６】
端末が第１プライベート通信網内を移動し、又は第２ネットワークから第１プライベート通信網に移動した場合、前記目標ネットワークエレメントの選択は、
前記端末がアクセスするプライベート通信網をサポートする第６ネットワークエレメントを目標ネットワークエレメントとして選択すること、
前記第６ネットワークエレメントが第１プライベート通信網をサポートし、前記端末が前記第１プライベート通信網にアクセスする場合、前記第１プライベート通信網をサポートする第６ネットワークエレメントを目標ネットワークエレメントとして選択すること、
前記端末がアクセスするプライベート通信サービスをサポートする第６ネットワークエレメントを目標ネットワークエレメントとして選択すること、
前記第６ネットワークエレメントが第１プライベート通信サービスをサポートし、前記端末が前記第１プライベート通信サービスにアクセスする場合、前記第１プライベート通信サービスをサポートする第６ネットワークエレメントを目標ネットワークエレメントとして選択すること、
端末がアクセスするプライベート通信網を第６ネットワークエレメントがサポートしない場合、移動制御情報に基づいて、アクセスが許可される第２ネットワークの目標ネットワークエレメントを選択することのうちの少なくとも１つを含む、請求項２５に記載の処理方法。
【請求項２７】
端末が第１プライベート通信網から出た場合、前記の目標ネットワークエレメントを選択する動作は、
第２ネットワークへアクセスが許可される場合、第２ネットワークをサポートする第６ネットワークエレメントを目標ネットワークエレメントとして選択すること、
第２ネットワークへアクセスが許可される場合、端末を第２ネットワークに移行させる動作を開始することのうちの少なくとも１つを含む、請求項２５に記載の処理方法。
【請求項２８】
端末が第１プライベート通信網と第２ネットワークとの間を移動する際に、前記の前記端末のネットワーク移動動作を決定することは、
第１移動情報を送信すること、
ＲＡＮネットワークエレメントとＣＮネットワークエレメントとの間の通信インタフェースである第１インタフェースに基づくハンドオーバが開始することのうちの少なくとも１つを含む、請求項２３に記載の処理方法。
【請求項２９】
第５ネットワークエレメントに応用される処理方法であって、
端末がアクセスを要求するプライベート通信網、端末のプライベート通信サービスの能力、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報のうちの少なくとも１つを含む第５情報を取得することと、
取得した前記第５情報に基づいて、移動制御情報、端末がアクセスするプライベート通信サービスの情報、端末がアクセスする第１プライベート通信網の情報、第６ネットワークエレメントがサポートするプライベート通信サービスの能力、第６ネットワークエレメントがサポートするプライベート通信網の情報の少なくとも１つを含む第４情報を決定することとを含む、処理方法。
【請求項３０】
前記の取得した前記第５情報に基づいて第２情報を決定した後に、
前記第４情報を第２目標側に送信することを更に含む、請求項２９に記載の処理方法。
【請求項３１】
端末であって、
プライベート通信サービスの情報、移動制御情報、上位アプリケーションのルーティング情報の少なくとも１つを含む第１情報を取得する第１取得モジュールと、
前記第１情報に基づいてネットワークアクセス動作を決定する第１決定モジュールとを含む、端末。
【請求項３２】
第１ネットワークエレメントであって、
前記第１ネットワークエレメントにサポートされるプライベート通信網の情報、前記第１ネットワークエレメントがプライベート通信サービスをサポートする能力、プライベート通信網のリダイレクト情報のうちの少なくとも１つを、端末及びコアネットワークＣＮネットワークエレメントの少なくとも１つを含む第１目標側に送信する第１送信モジュールを含む、第１ネットワークエレメント。
【請求項３３】
第２ネットワークエレメントであって、
端末のプライベート通信サービスの能力、端末がアクセスを要求するプライベート通信サービスの情報、端末がアクセスを要求するプライベート通信網の情報、ＣＮネットワークエレメントがサポートするプライベート通信サービスの能力、ＣＮネットワークエレメントがサポートするプライベート通信網の情報、端末がアクセスするプライベート通信サービスの情報、端末がアクセスするプライベート通信網の情報、ＲＡＮネットワークエレメントがサポートするプライベート通信サービスの能力、ＲＡＮネットワークエレメントがサポートするプライベート通信網の情報のうちの少なくとも１つを含む第２情報を取得する第２取得モジュールと、
取得した前記第２情報に基づいて、端末のアクセス動作を許可するか否かを決定し、及び／又は、ＣＮネットワークエレメントの選択動作を決定する第２決定モジュールを含む、第２ネットワークエレメント。
【請求項３４】
第３ネットワークエレメントであって、
端末のプライベート通信サービスの能力、端末が要求するプライベート通信サービスの情報、端末がアクセスを要求するプライベート通信網の情報、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報の少なくとも１つを含む第３情報を取得する第３取得モジュールと、
取得した前記第３情報に基づいて、プライベート通信サービスの情報、移動制御情報、上位アプリケーションのルーティング情報の少なくとも１つを含む第１情報を決定する第３決定モジュールとを含む、第３ネットワークエレメント。
【請求項３５】
端末であって、
移動制御情報、端末がアクセスするプライベート通信サービスの情報、端末がアクセスする第１プライベート通信網の情報、ネットワークエレメントがサポートするプライベート通信サービスの能力、ネットワークエレメントがサポートするプライベート通信網の情報を含む第４情報を取得する第４取得モジュールと、
前記第４情報に基づいてネットワーク移動動作を決定する第４決定モジュールとを含む、端末。
【請求項３６】
第４ネットワークエレメントであって、
端末がアクセスするプライベート通信サービスの情報、端末がアクセスする第１プライベート通信網の情報、移動制御情報、第６ネットワークエレメントがサポートするプライベート通信サービスの能力、第６ネットワークエレメントがサポートするプライベート通信網の情報を含む第４情報を取得する第５取得モジュールと、
前記第４情報に基づいて前記端末のネットワーク移動動作を決定する第５決定モジュールとを含む、第４ネットワークエレメント。
【請求項３７】
第５ネットワークエレメントであって、
端末がアクセスを要求するプライベート通信網、端末のプライベート通信サービスの能力、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報のうちの少なくとも１つを含む第５情報を取得する第６取得モジュールと、
取得した前記第５情報に基づいて、移動制御情報、端末がアクセスするプライベート通信サービスの情報、端末がアクセスする第１プライベート通信網の情報、第６ネットワークエレメントがサポートするプライベート通信サービスの能力、第６ネットワークエレメントがサポートするプライベート通信網の情報の少なくとも１つを含む第４情報を決定する第６決定モジュールとを含む、第５ネットワークエレメント。
【請求項３８】
プロセッサと、メモリと、前記メモリに格納されて前記プロセッサで動作可能なコンピュータプログラムを含む端末であって、
前記コンピュータプログラムが前記プロセッサによって実行されると、請求項１〜１０、又は請求項１８〜２２のいずれか１項に記載の処理方法が実現される、端末。
【請求項３９】
プロセッサと、メモリと、前記メモリに格納されて前記プロセッサで動作可能なコンピュータプログラムを含むネットワーク側ユニットであって、
前記コンピュータプログラムが前記プロセッサによって実行されると、請求項１１〜１７、又は請求項２３〜３０のいずれか１項に記載の処理方法が実現される、ネットワーク側ユニット。
【請求項４０】
コンピュータプログラムが格納されているコンピュータ読み取り可能な記憶媒体であって、
前記コンピュータプログラムがプロセッサによって実行されると、請求項１〜１０、請求項１１〜３０のいずれか１項に記載の処理方法が実現される、コンピュータ読み取り可能な記憶媒体。
【発明の詳細な説明】
【技術分野】
【０００１】
（関連出願の相互参照）
本願は、２０１８年６月２２日に中国特許庁に提出された中国特許出願２０１８１０６５５００１．８の優先権を主張し、その全ての内容が援用によりここに取り込まれる。
本開示の実施例は、通信技術分野に係り、特に処理方法、端末及びネットワークエレメントに係る。
【背景技術】
【０００２】
従来技術では、鉄道のスケジューリングや自動制御など、多くの垂直的業界において通信ニーズが存在する。第５世代移動体通信技術５Ｇ（５ｔｈ−Ｇｅｎｅｒａｔｉｏｎ）通信網は、垂直的業界の通信ニーズを満たすローカルエリアネットワークＬＡＮ（Ｌｏｃａｌ  Ａｒｅａ  Ｎｅｔｗｏｒｋ）タイプのプライベート通信サービスを垂直的業界に提供することができる。ここで、ＬＡＮタイプのサービスは、第３世代パートナーシッププロジェクト３ＧＰＰ（３ｒｄ  Ｇｅｎｅｒａｔｉｏｎ  Ｐａｒｔｎｅｒｓｈｉｐ  Ｐｒｏｊｅｃｔ）ネットワークシステムで提供されるＩＰタイプ又は非ＩＰタイプのプライベート通信サービスを意味する。
【０００３】
プライベート仮想ネットワークＰＶＮ（Ｐｒｉｖａｔｅ  Ｖｉｒｔｕａｌ  Ｎｅｔｗｏｒｋ）は、ＬＡＮタイプのサービスをサポートするプライベート仮想ネットワークである。ＰＶＮとＬＡＮは、その概念が混用される可能性があり、プライベート通信網又はプライベート通信サービスを広く指す。
【０００４】
プライベート通信網は、タイプＡのネットワークとタイプＢのネットワークに分類される。タイプＡのネットワークは、非公衆用の通信網（例えば３ＧＰＰネットワーク）であってもよいが、該ネットワークは、事業者ネットワークとのサービス継続性又はローミングが可能である。タイプＢのネットワークは、公衆陸上移動体ネットワークＰＬＭＮ（Ｐｕｂｌｉｃ  Ｌａｎｄ  Ｍｏｂｉｌｅ  Ｎｅｔｗｏｒｋ）などの事業者ネットワークとやり取りせず、隔離された通信網（例えば３ＧＰＰネットワーク）である。
【０００５】
垂直的業界のプライベート通信網伝送網であるプライベート通信網は、プライベート通信網内の端末のプライベート通信網におけるトラフィックをサポートし、又は、プライベート通信網における端末間の通信を実現することができる。
【０００６】
事業者ネットワークを介して垂直的トラフィックにプライベート通信網を提供する場合、垂直的トラフィックの端末は、プライベート通信網にアクセスして相互通信を行ったり、垂直的トラフィックのサーバにアクセスしたりすることができる。垂直的業界の端末は、同時に事業者の公衆通信網にアクセスして公衆通信サービスを行うことも可能である。しかしながら、従来の技術では、端末がプライベート通信網と公衆通信網にそれぞれどのようにアクセスするかについては不明である。
【発明の概要】
【発明が解決しようとする課題】
【０００７】
本開示の実施例は、端末がプライベート通信網と公衆通信網にそれぞれどのようにアクセスするかを明確化するために、処理方法、端末及びネットワークエレメントを提供する。
【課題を解決するための手段】
【０００８】
第１態様として、本開示の実施例は、処理方法を提供する。
端末に応用される処理方法であって、
プライベート通信サービスの情報、移動制御情報、上位アプリケーションのルーティング情報の少なくとも１つを含む第１情報を取得することと、
前記第１情報に基づいてネットワークアクセス動作を決定することとを含む。
【０００９】
第２態様として、本開示の実施例は、処理方法を提供する。
第１ネットワークエレメントに応用される処理方法であって、
前記第１ネットワークエレメントにサポートされるプライベート通信網の情報、前記第１ネットワークエレメントがプライベート通信サービスをサポートする能力、プライベート通信網のリダイレクト情報のうちの少なくとも１つを第１目標側に送信することを含む。
【００１０】
第３態様として、本開示の実施例は、処理方法を提供する。
第２ネットワークエレメントに応用される処理方法であって、
端末のプライベート通信サービスの能力、端末がアクセスを要求するプライベート通信サービスの情報、端末がアクセスを要求するプライベート通信網の情報、ＣＮネットワークエレメントがサポートするプライベート通信サービスの能力、ＣＮネットワークエレメントがサポートするプライベート通信網の情報、端末がアクセスするプライベート通信サービスの情報、端末がアクセスするプライベート通信網の情報、ＲＡＮネットワークエレメントがサポートするプライベート通信サービスの能力、ＲＡＮネットワークエレメントがサポートするプライベート通信網の情報のうちの少なくとも１つを含む第２情報を取得することと、
取得した前記第２情報に基づいて、端末のアクセス動作を許可するか否かを決定すること、及び／又は、ＣＮネットワークエレメントの選択動作を決定することを含む。
【００１１】
第４態様として、本開示の実施例は、処理方法を提供する。
第３ネットワークエレメントに応用される処理方法であって、
端末のプライベート通信サービスの能力、端末が要求するプライベート通信サービスの情報、端末がアクセスを要求するプライベート通信網の情報、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報の少なくとも１つを含む第３情報を取得することと、
取得した前記第３情報に基づいて、プライベート通信サービスの情報、移動制御情報、上位アプリケーションのルーティング情報の少なくとも１つを含む第１情報を決定することとを含む。
【００１２】
第５態様として、本開示の実施例は、処理方法を提供する。
端末に応用される処理方法であって、
移動制御情報、端末がアクセスするプライベート通信サービスの情報、端末がアクセスする第１プライベート通信網の情報、ネットワークエレメントがサポートするプライベート通信サービスの能力、ネットワークエレメントがサポートするプライベート通信網の情報の少なくとも１つを含む第４情報を取得することと、
前記第４情報に基づいてネットワーク移動動作を決定することとを含む。
【００１３】
第６態様として、本開示の実施例は、処理方法を提供する。
第４ネットワークエレメントに応用される処理方法であって、
端末がアクセスするプライベート通信サービスの情報、端末がアクセスする第１プライベート通信網の情報、移動制御情報、第６ネットワークエレメントがサポートするプライベート通信サービスの能力、第６ネットワークエレメントがサポートするプライベート通信網の情報を含む第４情報を取得することと、
前記第４情報に基づいて前記端末のネットワーク移動動作を決定することとを含む。
【００１４】
第７態様として、本開示の実施例は、処理方法を提供する。
第５ネットワークエレメントに応用される処理方法であって、
端末がアクセスを要求するプライベート通信網、端末のプライベート通信サービスの能力、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報のうちの少なくとも１つを含む第５情報を取得することと、
取得した前記第５情報に基づいて、移動制御情報、端末がアクセスするプライベート通信サービスの情報、端末がアクセスする第１プライベート通信網の情報、第６ネットワークエレメントがサポートするプライベート通信サービスの能力、第６ネットワークエレメントがサポートするプライベート通信網の情報の少なくとも１つを含む第４情報を決定することとを含む。
【００１５】
第８態様として、本開示の実施例は、端末を提供する。
端末であって、
プライベート通信サービスの情報、移動制御情報、上位アプリケーションのルーティング情報の少なくとも１つを含む第１情報を取得する第１取得モジュールと、
前記第１情報に基づいてネットワークアクセス動作を決定する第１決定モジュールとを含む。
【００１６】
第９態様として、本開示の実施例は、第１ネットワークエレメントを提供する。
第１ネットワークエレメントであって、
前記第１ネットワークエレメントにサポートされるプライベート通信網の情報、前記第１ネットワークエレメントがプライベート通信サービスをサポートする能力、プライベート通信網のリダイレクト情報のうちの少なくとも１つを、端末及びコアネットワークＣＮネットワークエレメントの少なくとも１つを含む第１目標側に送信する第１送信モジュールを含む。
【００１７】
第１０態様として、本開示の実施例は、第２ネットワークエレメントを提供する。
第２ネットワークエレメントであって、
端末のプライベート通信サービスの能力、端末がアクセスを要求するプライベート通信サービスの情報、端末がアクセスを要求するプライベート通信網の情報、ＣＮネットワークエレメントがサポートするプライベート通信サービスの能力、ＣＮネットワークエレメントがサポートするプライベート通信網の情報、端末がアクセスするプライベート通信サービスの情報、端末がアクセスするプライベート通信網の情報、ＲＡＮネットワークエレメントがサポートするプライベート通信サービスの能力、ＲＡＮネットワークエレメントがサポートするプライベート通信網の情報のうちの少なくとも１つを含む第２情報を取得する第２取得モジュールと、
取得した前記第２情報に基づいて、端末のアクセス動作を許可するか否かを決定し、及び／又は、ＣＮネットワークエレメントの選択動作を決定する第２決定モジュールを含む。
【００１８】
第１１態様として、本開示の実施例は、第３ネットワークエレメントを提供する。
第３ネットワークエレメントであって、
端末のプライベート通信サービスの能力、端末が要求するプライベート通信サービスの情報、端末がアクセスを要求するプライベート通信網の情報、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報の少なくとも１つを含む第３情報を取得する第３取得モジュールと、
取得した前記第３情報に基づいて、プライベート通信サービスの情報、移動制御情報、上位アプリケーションのルーティング情報の少なくとも１つを含む第１情報を決定する第３決定モジュールとを含む。
【００１９】
第１２態様として、本開示の実施例は、端末を提供する。
端末であって、
移動制御情報、端末がアクセスするプライベート通信サービスの情報、端末がアクセスする第１プライベート通信網の情報、ネットワークエレメントがサポートするプライベート通信サービスの能力、ネットワークエレメントがサポートするプライベート通信網の情報を含む第４情報を取得する第４取得モジュールと、
前記第４情報に基づいてネットワーク移動動作を決定する第４決定モジュールとを含む。
【００２０】
第１３態様として、本開示の実施例は、第４ネットワークエレメントを提供する。
第４ネットワークエレメントであって、
端末がアクセスするプライベート通信サービスの情報、端末がアクセスする第１プライベート通信網の情報、移動制御情報、第６ネットワークエレメントがサポートするプライベート通信サービスの能力、第６ネットワークエレメントがサポートするプライベート通信網の情報を含む第４情報を取得する第５取得モジュールと、
前記第４情報に基づいて前記端末のネットワーク移動動作を決定する第５決定モジュールとを含む。
【００２１】
第１３態様として、本開示の実施例は、第５ネットワークエレメントを提供する。
第５ネットワークエレメントであって、
端末がアクセスを要求するプライベート通信網、端末のプライベート通信サービスの能力、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報のうちの少なくとも１つを含む第５情報を取得する第６取得モジュールと、
取得した前記第５情報に基づいて、移動制御情報、端末がアクセスするプライベート通信サービスの情報、端末がアクセスする第１プライベート通信網の情報、第６ネットワークエレメントがサポートするプライベート通信サービスの能力、第６ネットワークエレメントがサポートするプライベート通信網の情報の少なくとも１つを含む第４情報を決定する第６決定モジュールとを含む。
【００２２】
第１５態様として、本開示の実施例は、端末を更に提供する。
プロセッサと、メモリと、前記メモリに格納されて前記プロセッサで動作可能なコンピュータプログラムを含む端末であって、
前記コンピュータプログラムが前記プロセッサによって実行されると、第１態様又は第５態様に記載の処理方法が実現される。
【００２３】
第１６態様として、本開示の実施例は、ネットワークエレメントを更に提供する。
プロセッサと、メモリと、前記メモリに格納されて前記プロセッサで動作可能なコンピュータプログラムを含むネットワーク側ユニットであって、
前記コンピュータプログラムが前記プロセッサによって実行されると、第２態様、第３態様、第４態様、第６態様、又は第７態様に記載の処理方法が実現される。
【００２４】
第１７態様として、本開示の実施例は、記憶媒体を更に提供する。
コンピュータプログラムが格納されているコンピュータ読み取り可能な記憶媒体であって、
前記コンピュータプログラムがプロセッサによって実行されると、第１態様、第２態様、第３態様、第４態様、第５態様、第６態様、又は第７態様に記載の処理方法が実現される。
【発明の効果】
【００２５】
本開示の実施例において、プライベート通信サービスの情報、移動制御情報、上位アプリケーションのルーティング情報の少なくとも１つを含む第１情報を取得し、前記第１情報に基づいてネットワークアクセス動作を決定する。即ち、端末が、取得した第１情報に基づいてネットワークアクセス動作を決定することができ、それによって、プライベート通信網と公衆通信網にそれぞれどのようにアクセスするかは明確化される。
【００２６】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００２７】
【図１ａ】本開示の実施例に係る全体的アーキテクチャを示す図その１である。
【図１ｂ】本開示の実施例に係る全体的アーキテクチャを示す図その２である。
【図１ｃ】本開示の実施例に係る全体的アーキテクチャを示す図その３である。
【図２】本開示の実施例に係る処理方法のフローチャートその１である。
【図３】本開示の実施例に係る処理方法のフローチャートその２である。
【図４】本開示の実施例に係る処理方法のフローチャートその３である。
【図５】本開示の実施例に係る処理方法のフローチャートその４である。
【図６】本開示の実施例に係る処理方法のフローチャートその５である。
【図７】本開示の実施例に係る処理方法のフローチャートその６である。
【図８】本開示の実施例に係る処理方法のフローチャートその７である。
【図９】本開示の実施例に係る処理方法のフローチャートその８である。
【図１０】本開示の実施例に係る処理方法のフローチャートその９である。
【図１１】本開示の実施例に係る処理方法のフローチャートその１０である。
【図１２】本開示の実施例に係る処理方法のフローチャートその１１である。
【図１３】本開示の実施例に係る処理方法のフローチャートその１２である。
【図１４】本開示の実施例に係る処理方法のフローチャートその１３である。
【図１５】本開示の実施例に係る端末の構造図その１である。
【図１６】本開示の実施例に係る第１ネットワークエレメントの構造図である。
【図１７】本開示の実施例に係る第２ネットワークエレメントの構造図である。
【図１８】本開示の実施例に係る第３ネットワークエレメントの構造図である。
【図１９】本開示の実施例に係る端末の構造図その２である。
【図２０】本開示の実施例に係る第４ネットワークエレメントの構造図である。
【図２１】本開示の実施例に係る第５ネットワークエレメントの構造図である。
【図２２】本開示の実施例に係る端末の構造図その３である。
【図２３】本開示の実施例に係るネットワークエレメントの構造図である。
【発明を実施するための形態】
【００２８】
まず、本開示の実施例によって、以下の問題を解決することができる。
【００２９】
（１）識別問題
事業者のネットワークは、公衆陸上移動体ネットワークＩＤのＰＬＭＮ  ＩＤ（Ｐｕｂｌｉｃ  Ｌａｎｄ  Ｍｏｂｉｌｅ  Ｎｅｔｗｏｒｋ  ＩＤ）によって識別される。ＰＬＭＮ  ＩＤの数は、限りがある。１つの事業者ネットワークには、複数の垂直的トラフィックをサポートする複数のプライベート通信網（ＰＶＮ）を有し、１つの垂直的トラフィックは、複数の事業者ネットワークにまたがってもよい。このため、ＰＬＭＮ  ＩＤをプライベート通信網の識別子とすることができない。１つの垂直的トラフィックのプライベート通信網は、複数のネットワークスライスを含み、プライベート通信網の識別子としてネットワークスライス関連識別子を使用することができない。このため、１つの垂直的トラフィックの事業者におけるプライベート通信網をどのように識別するかが不明である。
【００３０】
（２）上位アプリケーションのネットワークタイプ許可
事業者ネットワークを介して垂直的トラフィックにプライベート通信網を提供する場合、垂直的トラフィックの端末は、プライベート通信網にアクセスして相互通信を行ったり、垂直的トラフィックのサーバにアクセスしたりすることができる。垂直的業界の端末は、同時に事業者の公衆通信網にアクセスして公衆通信トラフィックを行うことも可能である。従来技術では、どの上位アプリケーションがプライベート通信網にアクセスし、どのアプリケーションが公衆通信網にアクセスするかを端末上で制限できる情報はなかった。
【００３１】
ここで、タイプＢネットワークの端末は、プライベート通信網にのみアクセス可能であり、タイプＡネットワークの端末は、プライベート通信網と公衆通信網にアクセス可能である。
【００３２】
（３）移動及びローミング範囲許可
プライベート通信網のサービスエリアは、フルネットカバレッジではなく、限定的なエリアである。垂直的トラフィックの端末に対して、どのネットワークエリアがその垂直的トラフィックのプライベート通信網をサポートするか、即ち、どこからプライベート通信網にアクセスできるかは不明である。事業者のネットワークに対して、複数のプライベート仮想ネットワークが分割されてプライベート通信サービスをサポートすることが可能である。プライベート通信網のネットワークエレメントを端末に対しどのように選択するかは不明である。
【００３３】
ここで、タイプＢのネットワークの場合、プライベート通信網の移動範囲のみがあり、タイプＡのネットワークの場合、プライベート通信網の移動範囲、ローミングの移動範囲、公衆通信網へのローミングが許可されるか否かがある。
【００３４】
また、タイプＡのネットワークでは、プライベート通信網の登録時に公衆通信網へのアクセスが許可されるか否かを通知し、公衆通信網の登録時にプライベート通信網へのアクセスが許可されるか否かを通知する必要がある。
【００３５】
（４）全体的アーキテクチャ
現在のセルがプライベート通信網と公衆通信網の両方をサポートする場合、どの通信網に優先的に登録されるかは不明であり、無線アクセスネットワークＲＡＮ（Ｒａｄｉｏ  Ａｃｃｅｓｓ  Ｎｅｔｗｏｒｋ）ネットワークエレメントがアクセス移動管理機能ＡＭＦ（Ａｃｃｅｓｓ  Ｍａｎａｇｅｍｅｎｔ  Ｆｕｎｃｔｉｏｎ）をどのように選択するかは不明である。
【００３６】
ＵＥは、プライベート通信網ＩＤを指示するように要求するための無線リソース制御ＲＲＣ（Ｒａｄｉｏ  Ｒｅｓｏｕｒｃｅ  Ｃｏｎｔｒｏｌ）要求をＲＡＮに送信する。ネットワークは、登録のタイプを決定するために、ＲＡＮがプライベート通信網ＩＤをサポートするか否かに関連する必要もある。
【００３７】
本開示の実施例は、以下のいくつかの全体的アーキテクチャを提案し、全体的アーキテクチャの概略図は、図１ａ〜図１ｃを参照する。なお、図１ａ〜図１ｃに示すスライスは、ネットワークスライスを示す。
【００３８】
全体的アーキテクチャ１：図１ａに示すように、無線アクセスネットワークは、プライベート通信網と公衆通信網とで共用され、ＡＭＦ及びスライスは、プライベート通信網と公衆通信網とで独立され、即ち、プライベート通信網と公衆通信網は、それぞれ独自のＡＭＦを有する。
全体的アーキテクチャ２：図１ｂに示すように、無線アクセスネットワークとＡＭＦは、プライベート通信網と公衆通信網で共用され、スライスは、プライベート通信網と公衆通信網で独立されている。
全体的アーキテクチャ３：図１ｃに示すように、無線アクセスネットワーク、ＡＭＦ及びスライスは、それぞれプライベート通信網と公衆通信網である。
【００３９】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００４０】
本開示の明細書及び特許請求の範囲における「第１」、「第２」などの用語は、特定の順序又は前後順を記述するために使用されるのではなく、類似の対象を区別するために使用される。そのように使用されるデータは、本明細書に記載される本願の実施例が、例えば、本明細書に図示又は記載されるもの以外の順序でも実施されるように、適切に交換されることが理解されるべきである。更に、「含む」及び「有する」という用語ならびにそれらの任意の変形は、非排他的を意図しており、例えば、一連の工程又はユニットを含むプロセス、方法、システム、製品又は装置は、必ずしも明確に列挙されたそれらの工程又はユニットに限定されるものではなく、明確に列挙されていないもの又はそれらのプロセス、方法、製品又は装置に固有の他の工程又はユニットを含んでもよい。本明細書及び特許請求の範囲において、「及び／又は」は、連結された対象の少なくとも１つを意味する。例えば、Ａ及び／又はＢ及び／又はＣは、Ａのみ、Ｂのみ、Ｃのみ、ＡとＢの両方が存在すること、ＢとＣの両方が存在すること、ＡとＣの両方が存在すること、及び、ＡとＢとＣがすべて存在することの７種類のケースを含むことを示す。
【００４１】
また、開示している実施例において、情報の名称が同一であれば、該情報に含まれる内容が同一であってもよいことを示す。例えば、本開示の実施例に係る第１情報に含まれる内容は、同一であってもよい。
【００４２】
本開示の実施例において、コアネットワークネットワークエレメント（又はＣＮネットワークエレメントと称される）は、コアネットワークデバイス、コアネットワークノード、コアネットワーク機能、モビリティ管理エンティティＭＭＥ（Ｍｏｂｉｌｉｔｙ  Ｍａｎａｇｅｍｅｎｔ  Ｅｎｔｉｔｙ）、アクセスモビリティ管理機能ＡＭＦ（Ａｃｃｅｓｓ  Ｍａｎａｇｅｍｅｎｔ  Ｆｕｎｃｔｉｏｎ）、セッション管理機能ＳＭＦ（Ｓｅｓｓｉｏｎ  Ｍａｎａｇｅｍｅｎｔ  Ｆｕｎｃｔｉｏｎ）、ユーザプレーン機能ＵＰＦ（Ｕｓｅｒ  Ｐｌａｎｅ  Ｆｕｎｃｔｉｏｎ）、サービングゲートウェイＳＧＷ（ｓｅｒｖｉｎｇ  Ｇａｔｅ  Ｗａｙ）、ＰＤＮゲートウェイ（ＰＤＮ  Ｇａｔｅ  Ｗａｙ）、ポリシー制御機能ＰＣＦ（Ｐｏｌｉｃｙ  Ｃｏｎｔｒｏｌ  Ｆｕｎｃｔｉｏｎ）、ポリシー及び課金ルール機能ユニットＰＣＲＦ（Ｐｏｌｉｃｙ  ａｎｄ  Ｃｈａｒｇｉｎｇ  Ｒｕｌｅｓ  Ｆｕｎｃｔｉｏｎ）、ＧＰＲＳサービスサポートノードＳＧＳＮ（Ｓｅｒｖｉｎｇ  ＧＰＲＳ  Ｓｕｐｐｏｒｔ  Ｎｏｄｅ）、ゲートウェイＧＰＲＳサポートノードＧＧＳＮ（Ｇａｔｅｗａｙ  ＧＰＲＳ  Ｓｕｐｐｏｒｔ  Ｎｏｄｅ）のうちの少なくとも１つを含むが、それらに限定されない。
【００４３】
無線アクセスネットワークネットワークエレメント（又はＲＡＮネットワークエレメントと呼ばれる）は、無線アクセスネットワークデバイス、無線アクセスネットワークノード、無線アクセスネットワーク機能、無線アクセスネットワークユニット、３ＧＰＰ無線アクセスネットワーク、非３ＧＰＰ無線アクセスネットワーク、集中ユニットＣＵ（Ｃｅｎｔｒａｌｉｚｅｄ  Ｕｎｉｔ）、分散ユニットＤＵ（Ｄｉｓｔｒｉｂｕｔｅｄ  Ｕｎｉｔ）、基地局、進化型基地局ｅＮＢ（ｅｖｏｌｖｅｄ  Ｎｏｄｅ  Ｂ）、５Ｇ基地局（ｇＮＢ）、無線ネットワークコントローラＲＮＣ（Ｒａｄｉｏ  Ｎｅｔｗｏｒｋ  Ｃｏｎｔｒｏｌｌｅｒ）、基地局（ＮｏｄｅＢ）、非３ＧＰＰインターワーキング機能Ｎ３ＩＷＦ（Ｎｏｎ−３  ＧＰＰ  ＩｎｔｅｒＷｏｒｋｉｎｇ  Ｆｕｎｃｔｉｏｎ）、アクセス制御ＡＣ（Ａｃｃｅｓｓ  Ｃｏｎｔｒｏｌｌｅｒ）ノード、アクセスポイントＡＰ（Ａｃｃｅｓｓ  Ｐｏｉｎｔ）機器又は無線ローカルエリアネットワークＷＬＡＮ（Ｗｉｒｅｌｅｓｓ  Ｌｏｃａｌ  Ａｒｅａ  Ｎｅｔｗｏｒｋｓ）ノードのうちの少なくとも１つを含むが、それらに限定されない。
【００４４】
基地局は、ＧＳＭ又はＣＤＭＡにおける基地局ＢＴＳ（Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、ＬＴＥにおける発展型基地局ｅＮＢ又はｅ−ＮｏｄｅＢ（ｅｖｏｌｕｔｉｏｎａｌ  Ｎｏｄｅ  Ｂ）及び５Ｇ基地局（ｇＮＢ）であってもよいが、本開示の実施例は、限定されない。
【００４５】
なお、本開示の実施例において、無線アクセスネットワークネットワークエレメント及びコアネットワークネットワークエレメントは、ネットワークエレメントと総称される。第１ネットワークエレメント、第２ネットワークエレメント、第３ネットワークエレメント、第４ネットワークエレメント、第５ネットワークエレメント及び第６ネットワークエレメントは、同一のネットワークエレメントであってもよく、互いに異なるネットワークエレメントであってもよく、具体的には実際の需要に応じて決定されてもよいが、本開示の実施例において、これについて限定しない。
【００４６】
本開示の実施例において、非公衆通信網は、プライベート通信網を含むか、又はプライベート通信網と称される。非公衆通信網は、プライベート仮想ネットワークＰＶＮ（Ｐｒｉｖａｔｅ  Ｖｉｒｔｕａｌ  Ｎｅｔｗｏｒｋ）、隔離された通信網、専用通信網、又はローカルエリアネットワーク（Ｌｏｃａｌ  ａｒｅａ  ｎｅｔｗｏｒｋ）又は他の名前で称されてもよい。なお、本開示の実施例において、命名方式は、特に限定されない。
【００４７】
本開示の実施例において、アプリケーション情報は、トラフィック記述器（Ｔｒａｆｆｉｃ  Ｄｅｓｃｒｉｐｔｏｒ）又はトラフィック記述情報（Ｔｒａｆｆｉｃ  Ｄｅｓｃｒｉｐｔｉｏｎ）と称されてもよい。
【００４８】
本開示の実施例において、アクセスは、ローミング、ハンドオーバ、リダイレクトなどの様々なアクセス方式として理解される。例えば、端末が第２ネットワークにアクセスすることは、端末を第２ネットワークにハンドオーバすること、端末を第２ネットワークにリダイレクトすること、端末が第２ネットワークにローミングすることのうちの１つを含む。例えば、アプリケーションが第２ネットワークにアクセスすることは、第２ネットワークにおいてアプリケーションに関するＰＤＵセッションを確立すること、第２ネットワークにおいてアプリケーションに関するＰＤＵセッションを活性化すること、アプリケーションのＰＤＵセッションを第２ネットワークにハンドオーバすることのうちの１つを含む。
【００４９】
以下、本開示の実施例に係る処理方法について説明する。
【００５０】
図２を参照すると、図２は、本開示の実施例に係る処理方法のフローチャートその１である。本実施例に係る処理方法は、端末に応用される。図２に示すように、本実施例に係る処理方法は、以下のステップを含む。
【００５１】
ステップ２０１において、プライベート通信サービスの情報、移動制御情報、上位アプリケーションのルーティング情報の少なくとも１つを含む第１情報を取得する。
【００５２】
本開示の実施例において、取得は、配置からの取得、受信による取得、要求してからの受信による取得、又は受信した情報に基づいて処理してからの取得として理解され、具体的には、実際の必要に応じて決定されるが、本開示の実施例において、これについて限定しない。
【００５３】
実際の応用では、第１情報内のプライベート通信サービスの情報は、プライベート通信サービスに関するポリシーとして具現化される。１つの実施形態において、プライベート通信網をサポートする端末は、配置からプライベート通信サービスのポリシーを取得する。その後、端末がプライベート通信網を登録すると、プライベート通信網は、端末上のプライベート通信サービスに関するポリシー、例えば、ＵＥルーティング選択ポリシーＵＲＳＰ（ＵＥ  Ｒｏｕｔｅ  Ｓｅｌｅｃｔｉｏｎ  Ｐｏｌｉｃｙ）を更新する。
【００５４】
更に、前記端末は、プライベート通信サービスの端末、第１プライベート通信網の端末の少なくとも１つである。
【００５５】
更に、前記上位アプリケーションは、プライベート通信サービスの上位アプリケーション、第１プライベート通信網の上位アプリケーションの少なくとも１つである。
【００５６】
ここで、第１プライベート通信網は、端末のホームネットワークであってもよい。
【００５７】
選択可能に、前記プライベート通信サービスの情報は、プライベート通信サービスの指示情報、プライベート通信網をサポートする事業者ネットワーク情報、プライベート通信網の情報、プライベート通信サービスが許可されるエリア範囲情報、プライベート通信サービスが禁止されるエリア範囲情報、プライベート通信サービスが許可される上位アプリケーションのアプリケーション情報、プライベート通信サービスが禁止される上位アプリケーションのアプリケーション情報の少なくとも１つを含む。
【００５８】
更に、前記プライベート通信サービスの指示情報は、プライベート通信サービスを許可するか否かの指示情報を含む。
【００５９】
更に、前記事業者ネットワーク情報は、公衆陸上移動体ネットワークＰＬＭＮの識別子のような事業者ネットワークの識別子の少なくとも１つを含む。
【００６０】
更に、前記プライベート通信網の情報は、ＰＬＭＮの識別子、プライベート通信網の識別子、プライベート通信網のタイプの少なくとも１つを含む。ここで、前記プライベート通信網の識別子は、ＰＬＭＮ対応のプライベート通信サービスをサポートするプライベート通信網の識別子である。
【００６１】
前記プライベート通信網の情報におけるプライベート通信網は、配置されたプライベート通信網、アクセスが許可されるプライベート通信網、アクセスが禁止されるプライベート通信網の少なくとも１つを含む。１つの実施形態において、端末は、配置されたプライベート通信網及び／又はアクセスが許可されるプライベート通信網から、アクセスを要求するプライベート通信網を選択し、アクセスを要求するプライベート通信網の情報をネットワークに送信する。ネットワークは、アクセスが許可されるプライベート通信網の情報及び／又はアクセスが禁止されるプライベート通信網の情報を端末に返す。１つの実施形態において、アクセスが許可されるプライベート通信網は、ホームのプライベート通信網と、ローミングが許可されるプライベート通信網の少なくとも１つを含む。
【００６２】
更に、プライベート通信網の識別子は、ネットワークスライス区分情報ＳＤ（Ｓｌｉｃｅ  Ｄｉｆｆｅｒｅｎｔｉａｔｏｒ）、ＰＬＭＮ識別子を含む。
【００６３】
更に、前記プライベート通信網のタイプは、タイプＡ及びタイプＢの少なくとも一方を含む。
【００６４】
更に、前記エリア範囲情報は、登録エリアＲＡ（Ｒｅｇｉｓｔｒａｔｉｏｎ  Ａｒｅａ）リスト、トラッキングエリアＴＡ（Ｔｒａｃｋｉｎｇ  Ａｒｅａ）リスト、無線アクセスネットワークＲＡＮネットワークエレメントリスト、セルリストの少なくとも１つに対応する（又は、それらを具現化する）。
【００６５】
ここで、プライベート通信サービスが許可されるエリア範囲は、第１プライベート通信網のエリア範囲、アクセスが許可される第２プライベート通信網のエリア範囲、アクセスが許可される公衆通信網のエリア範囲、プライベート通信サービスの開始が許可される公衆通信網のエリア範囲、第１プライベート通信網のプライベート通信サービスの開始が許可される第２プライベート通信網のエリア範囲、第１プライベート通信網のプライベート通信サービスの開始が許可される公衆通信網の少なくとも１つを含む。
【００６６】
１つの実施形態において、前記第１プライベート通信網のプライベート通信網サービスは、端末が、ｈｏｍｅ  ｒｏｕｔｅｄローミングアクセス方式で、アクセスしたネットワーク（公衆通信網又は第２プライベート通信網）で第１プライベート通信網に接続することを意味する。当然のことながら、第１プライベート通信網を介して、第１プライベート通信網に接続されるプライベートＤＮにアクセスすることができる。
【００６７】
前記プライベート通信網は、事業者ネットワークにおけるプライベート仮想ネットワークであることが容易に理解できる。異なる事業者ネットワークにおいて、同じプライベート通信網の識別子は、異なる場合がある。
【００６８】
１つの実装形態において、プライベート通信網の識別子は、異なる事業者ネットワークにおけるプライベート通信網の識別子であり、即ち、異なる事業者のネットワークにおけるプライベート通信網の識別子が異なる。別の実施形態において、プライベート通信網の識別子は、グローバルに一意であり、異なる事業者のネットワークにおける同じプライベート通信網の識別子は、全て一致する。
【００６９】
更に、前記移動制御情報は、第２プライベート通信網及び公衆通信網の少なくとも１つを含む第２ネットワークへのアクセス可否、アクセスが許可される第２ネットワークのネットワーク情報、アクセスが禁止される第２ネットワークのネットワーク情報、公衆通信網へのアクセスが許可されるプライベート通信サービスのアプリケーション情報、第２ネットワークへのアクセスが許可される第１プライベート通信網のアプリケーション情報の少なくとも１つを含む。
【００７０】
本開示の実施例において、アクセスは、ローミング、ハンドオーバ、リダイレクトなどの様々なアクセス方式として理解される。例えば、端末が第２ネットワークにアクセスすることは、端末が第２ネットワークにハンドオーバすること、端末が第２ネットワークにリダイレクトすること、端末が第２ネットワークにローミングすることのうちの１つを含む。
【００７１】
選択可能に、ネットワーク情報は、通信網タイプ情報、通信網識別子、スライス情報、エリア範囲情報の１つ又は複数を含む。
【００７２】
更に、通信網タイプ情報は、プライベート通信網、公衆通信網、タイプＡのプライベート通信網、タイプＢのプライベート通信網の１つ又は複数を含む。
【００７３】
通信網識別子は、プライベート通信網の識別子又は公衆通信網の識別子である。
【００７４】
スライス情報は、ネットワークスライス選択支援情報ＮＳＳＡＩ（ｎｅｔｗｏｒｋ  ｓｌｉｃｅ  ｓｅｌｅｃｔｉｏｎ  ａｓｓｉｓｔａｎｃｅ  ｉｎｆｏｒｍａｔｉｏｎ）、Ｓ−ＮＳＳＡＩ、ネットワークスライスインスタンス識別子ＮＳＩ  ＩＤ（Ｎｅｔｗｏｒｋ  Ｓｌｉｃｅ  Ｉｎｓｔａｎｃｅ  Ｉｄｅｎｔｉｆｉｅｒ）の少なくとも１つを含む。
【００７５】
１つの実施形態において、プライベート通信網スライス情報は、アクセスが許可されるプライベート通信網スライス情報、アクセスが禁止されるプライベート通信網スライス情報、配置されたプライベート通信網スライス情報及び契約されたプライベート通信網スライス情報の１つ又は複数を含む。
【００７６】
更に、前記アプリケーション情報は、アプリケーションの識別子、ＩＰトリプル、ＩＰファイブタプル、宛先ＩＰアドレス、宛先ＩＰｖ６プレフィックス、ソースＩＰアドレス、ソースＩＰｖ６プレフィックス、ソースポート番号、ソースポート番号、プロトコル識別子の少なくとも１つを含む。ソースメディアアクセス制御ＭＡＣ（Ｍｅｄｉａ  Ａｃｃｅｓｓ  Ｃｏｎｔｒｏｌ）アドレス、宛先ＭＡＣアドレスイーサネット識別子。
【００７７】
プライベート通信サービスのアプリケーション情報は、プライベート通信網又はプライベート通信サービスを利用可能な端末上位アプリケーションを具現化する。
【００７８】
なお、プライベート通信サービスが許可される上位アプリケーション情報と、プライベート通信サービスが禁止される上位アプリケーション情報は、それぞれ、上記アプリケーション情報の少なくとも１つを含む。また、プライベート通信サービスが許可される上位アプリケーション情報と、プライベート通信サービスが禁止される上位アプリケーション情報に含まれる内容は、同一であっても異なっていてもよく、具体的には、実際の必要に応じて決定されてよいが、本開示の実施例について、これについて限定しない。
【００７９】
更に、前記プライベート通信網の情報は、プライベート通信網の識別子、プライベート通信網のタイプ、プライベート通信網のサービスエリア範囲、プライベート通信網をサポートする事業者ネットワーク情報、プライベート通信網へのアクセスが許可される上位アプリケーションのアプリケーション情報、プライベート通信網へのアクセスが禁止される上位アプリケーションのアプリケーション情報の少なくとも１つを含む。
【００８０】
１つの実施形態において、前記プライベート通信網の情報内のプライベート通信網は、第１プライベート通信網、アクセスが許可される第２プライベート通信網の少なくとも１つを含む。
【００８１】
選択可能に、前記上位アプリケーションのルーティング情報は、アプリケーション情報、ルーティング記述情報の少なくとも１つを含む。
【００８２】
更に、ルーティング記述情報は、
プライベート通信サービスのネットワークスライス情報（例えば、ＮＳＳＡＩ、Ｓ−ＮＳＳＡＩ又はＮＳＩ  ＩＤ）、
プライベート通信サービスのデータネットワーク名ＤＮＮ（Ｄａｔａ  Ｎｅｔｗｏｒｋ  Ｎａｍｅ）、
プライベート通信サービスのセッション及びサービス継続性ＳＳＣ（Ｓｅｓｓｉｏｎ  ａｎｄ  Ｓｅｒｖｉｃｅ  Ｃｏｎｔｉｎｕｉｔｙ）モード、
プライベート通信サービスのパケットデータネットワークＰＤＮ（Ｐａｃｋｅｔ  Ｄａｔａ  Ｎｅｔｗｏｒｋ）タイプ、
優先的にアクセスする通信網のタイプ、アクセスが許可される通信網のタイプ、
アクセスが禁止される通信網のタイプ、
優先的にアクセスする通信網のネットワーク情報、アクセスが許可される通信網のネットワーク情報、
アクセスが禁止される通信網のネットワーク情報、
優先的にアクセスする通信サービスのタイプ、許可される通信サービスのタイプ、
禁止される通信サービスのタイプの少なくとも１つを含む。
【００８３】
更に、前記通信網のタイプは、プライベート通信網、公衆通信網の少なくとも１つを含む。
【００８４】
更に、前記通信サービスのタイプは、プライベート通信サービス、公衆通信サービスの少なくとも１つを含む。
【００８５】
ステップ２０２において、前記第１情報に基づいてネットワークアクセス動作を決定する。
【００８６】
更に、ネットワークアクセス動作を決定することは、アクセス先の通信網のタイプを決定すること、アクセス先の通信網を選択すること、プライベート通信サービスをサポートするネットワークである第１ネットワークへのアクセス方式を決定することのうちの少なくとも１つを含む。
【００８７】
更に、アクセス先の通信網のタイプを決定することは、上位アプリケーションに許可される通信網のタイプに基づいて、プライベート通信網にアクセスするか、又は公衆通信網にアクセスするかを決定することを含む。
【００８８】
更に、第１ネットワークへのアクセス方式を決定することは、前記端末がサポートするプライベート通信サービスの能力、及び前記端末がアクセスを要求するプライベート通信網の情報のうちの少なくとも１つを前記第１ネットワークに送信することを含む。ここで、プライベート通信網の情報は、具体的にはステップ２０１における記載を参照し、ここでは繰り返して述べない。
【００８９】
更に、アクセス先の通信網を選択することは、ネットワークがサポートするプライベート通信網に基づいて、アクセス先の通信網を選択することを含む。例えば、上位アプリケーションに許可される通信タイプがプライベート通信網であり且つ現在のセルがプライベート通信網をサポートする場合、端末は、該セルにアクセスすることができる。
【００９０】
選択可能に、前記の前記第１情報に基づいてネットワークアクセス動作を決定することは、
プライベート通信サービスをサポートするネットワークである第１ネットワークを前記第１情報に基づいて選択することと、
前記端末がサポートするプライベート通信サービスの能力、及び前記端末がアクセスを要求するプライベート通信網の情報のうちの少なくとも１つを前記第１ネットワークに送信することとを含む。
【００９１】
１つの実施形態において、端末は、第１情報が含まれる登録要求を第１ネットワークに対し開始する。図１ｂに示す全体的アーキテクチャのように、ＡＭＦがプライベート通信網と公衆通信網とに共通の機器である場合、ＡＭＦは、端末に対しプライベート通信網を選択することができる。
【００９２】
別の実施形態において、端末は、第１情報が含まれるＲＲＣメッセージを第１ネットワークの無線アクセスネットワークに対し開始する。図１ａに示される全体的アーキテクチャのように、プライベート通信網のＡＭＦ及び公衆通信網のＡＭＦがスタンドアロン機器であり、且つ端末がプライベート通信網へのアクセスを要求する場合、無線アクセスネットワークノードは、端末に対しプライベート通信網におけるＡＭＦを選択することができる。
【００９３】
なお、本実施例で紹介された多様な代替的な実施形態は、互いに結合して実現されてもよく、又は個別に実現されてもよいが、本開示の実施例において、これについて限定しない。
【００９４】
本実施例に係る処理方法は、少なくとも以下の効果を有する。
プライベート通信網をサポートする事業者ネットワーク情報について、１つの垂直的トラフィックのプライベート通信網が複数の事業者のネットワークに展開されることは、容易に理解できる。プライベート通信網ＰのユーザＶに対しては、プライベート通信網は、事業者Ａ及び事業者Ｂに展開される。ユーザＶは、事業者Ａの発券ユーザであり、ローミングする場合、ユーザＶは、事業者Ｂのプライベート通信網にアクセスすることをサポートする。従って、プライベート通信網をサポートする事業者ネットワーク情報もプライベート通信網に関するローミングネットワーク情報となることが可能である。端末が、プライベート通信網へのアクセスと公衆通信網へのアクセスとを同時にサポートすることができるので、プライベート通信網に関するローミングネットワーク情報と公衆通信網のローミングネットワーク情報とは、異なってもよい。
【００９５】
端末が、プライベート通信網へのアクセスと公衆通信網へのアクセスとを同時にサポートすることは、容易に理解できる。プライベート通信網は、公衆通信網と無線アクセスネットワークを共有する可能性がある。１つの実施形態において、プライベート通信網のエリア範囲情報に基づいて、端末は、どのエリアがプライベート通信網を提供しているかを知る。そして、端末は、このプライベート通信網をサポートするエリアに移動すると、プライベート通信サービスを開始することができる。別の実施形態において、プライベート通信網のセルからブロードキャストされたプライベート通信網の識別子をサポートし、端末は、第１情報から取得したプライベート通信網の識別子に基づいて照合することにより、配置されたプライベート通信網をセルがサポートするか否か、プライベート通信サービスを開始できるか否かを知ることもできる。
【００９６】
プライベート通信網へのアクセスが許可される（プライベート通信サービスの利用が許可される）アプリケーション情報や、プライベート通信網へのアクセスが禁止される（プライベート通信サービスの利用が禁止される）アプリケーション情報について。端末が、プライベート通信網と公衆通信網の両方へのアクセスをサポートする可能性があることは、容易に理解できる。端末上のアプリケーションによっては、プライベート通信網でのみ動作可能なものがある。端末上のアプリケーションによっては、公衆通信網でのみ動作可能なものがある。プライベート通信網へのアクセスが許可されるアプリケーション情報を配置することによって、アプリケーションがデータを生成する際に、端末がプライベート通信網にアクセスすることをトリガするか、それとも、公衆通信網にアクセスすることをトリガするかを支援することができる。別の実施形態において、アプリケーションのネットワークアクセスタイプを設定することにより、同様の目的を達成することができる。
【００９７】
図３を参照すると、図３は、本開示の実施例に係る処理方法のフローチャートその２である。本実施例に係る処理方法は、第１ネットワークエレメントに応用される。前記第１ネットワークエレメントは、ＲＡＮネットワークエレメントを含み、ネットワークアクセス動作を端末が決定することを支援することに用いられる。図３に示すように、本実施例に係る処理方法は、以下のステップを含む。
【００９８】
ステップ３０１において、前記第１ネットワークエレメントにサポートされるプライベート通信網の情報、前記第１ネットワークエレメントがプライベート通信サービスをサポートする能力、プライベート通信網のリダイレクト情報のうちの少なくとも１つを第１目標側に送信する。
【００９９】
ここで、前記第１目標側は、端末、ＲＡＮネットワークエレメント、ＣＮネットワークエレメントの少なくとも１つを含む。ＲＡＮネットワークエレメントは、ｇＮＢ及びｅＮＢの少なくとも１つを含む。
【０１００】
なお、具体的に実現する際に、第１ネットワークエレメントは、ブロードキャスト方式で上記情報を第１目標側に送信してもよいし、他の下りメッセージ、例えばＲＲＣメッセージで上記情報を送信してもよい。具体的には、実際の必要に応じて決定されてもよいが、本開示の実施例において、これについて限定しない。
【０１０１】
なお、プライベート通信網のリダイレクト情報は、プライベート通信網をサポートするネットワークを支持するために使用される。これにより、現在のネットワークがプライベート通信網をサポートしなくても、現在のネットワークがプライベート通信網のリダイレクト情報をブロードキャストすることができる。端末は、プライベート通信網のリダイレクト情報を取得すると、迅速にプライベート通信網をサポートするネットワークを見つけることができ、プライベート通信網をサポートするネットワークを端末が探索する範囲を狭めることができ、プライベート通信網をサポートするネットワークを端末が探索する効率を向上させることができる。
【０１０２】
更に、前記サポートされるプライベート通信網の情報は、サポートされるプライベート通信網の識別子、サポートされるプライベート通信網の周波数ポイント、サポートされるプライベート通信網のリダイレクトの周波数ポイント情報の少なくとも１つを含む。
【０１０３】
更に、プライベート通信サービスの能力は、極度の信頼性の低い低遅延通信ＵＲＬＬＣ（Ｕｌｔｒａ−Ｒｅｌｉａｂｌｅ  Ｌｏｗ−Ｌａｔｅｎｃｙ  Ｃｏｍｍｕｎｉｃａｔｉｏｎｓ）をサポートするか否か、時間敏感ネットワーク（Ｔｉｍｅ  Ｓｅｎｓｉｎｇ  Ｎｅｔｗｏｒｋ）をサポートするか否かの少なくとも１つを含む。
【０１０４】
以上の方法により、ネットワークアクセス動作を端末が決定することを支援することができる。
【０１０５】
図４は、本開示の実施例に係る処理方法のフローチャートその３である。本実施例に係る処理方法は、第２ネットワークエレメントに応用される。前記第２ネットワークエレメントは、ＲＡＮネットワークエレメントを含み、端末がアクセスを開始した後に、端末のアクセスを許可するか否かを決定すること、及び／又は、ＣＮネットワークエレメント選択動作を決定するために使用される。図４に示すように、本実施例に係る処理方法は、以下のステップを含む。
【０１０６】
ステップ４０１において、端末のプライベート通信サービスの能力、端末がアクセスを要求するプライベート通信サービスの情報、端末がアクセスを要求するプライベート通信網の情報、ＣＮネットワークエレメントがサポートするプライベート通信サービスの能力、ＣＮネットワークエレメントがサポートするプライベート通信網の情報、端末がアクセスするプライベート通信サービスの情報、端末がアクセスするプライベート通信網の情報、ＲＡＮネットワークエレメントがサポートするプライベート通信サービスの能力、ＲＡＮネットワークエレメントがサポートするプライベート通信網の情報のうちの少なくとも１つを含む第２情報を取得する。
【０１０７】
更に、前記プライベート通信網の情報は、プライベート通信網の識別子、プライベート通信網のタイプ、プライベート通信網のサービスエリア範囲、プライベート通信網をサポートする事業者ネットワーク情報、プライベート通信網へのアクセスが許可される上位アプリケーション情報、プライベート通信網へのアクセスが禁止される上位アプリケーション情報の少なくとも１つを含む。具体的には、図２に対応する方法の実施例における説明を参照することができ、ここでその説明が省略される。
【０１０８】
１つの実施形態において、第２ネットワークエレメントは、ＣＮネットワークエレメントがサポートするプライベート通信サービスの能力、ＣＮネットワークエレメントがサポートするプライベート通信網の情報、端末がアクセスするプライベート通信サービスの情報、及び端末がアクセスするプライベート通信網の情報の少なくとも１つを、ＣＮネットワークエレメントから取得する。
【０１０９】
１つの実施形態において、第２ネットワークエレメントは、端末のプライベート通信サービスの能力、端末がアクセスを要求するプライベート通信サービスの情報、端末がアクセスを要求するプライベート通信網の情報の少なくとも１つを端末から取得する。
【０１１０】
１つの実施形態において、第２ネットワークエレメントは、ＲＡＮネットワークエレメントにサポートされるプライベート通信サービスの能力、ＲＡＮネットワークエレメントにサポートされるプライベート通信網の情報の少なくとも１つをＲＡＮネットワークエレメントから取得する。１つの実施形態において、第２ネットワークエレメントがＲＡＮネットワークエレメントである場合、他のＲＡＮネットワークエレメントから、他のＲＡＮネットワークエレメントにサポートされるプライベート通信サービスの能力、他のＲＡＮネットワークエレメントにサポートされるプライベート通信網の情報を取得する。
【０１１１】
ステップ４０２において、取得した前記第２情報に基づいて、端末のアクセス動作を許可するか否かを決定すること、及び／又は、ＣＮネットワークエレメントの選択動作を決定する。
【０１１２】
選択可能に、ＣＮネットワークエレメントは、ＡＭＦ、ＳＭＦ、ＰＣＦの少なくとも１つを含む。
【０１１３】
更に、前記の端末のアクセス動作を許可するか否かを決定することは、
前記第２ネットワークエレメントがプライベート通信網をサポートせず、端末がタイプＢのプライベート通信網へのアクセスを要求する場合、前記端末のアクセスを禁止すること、
前記第２ネットワークエレメントが第１プライベート通信網をサポートし、且つ端末が前記第１プライベート通信網へのアクセスを要求する場合、前記端末のアクセスを許可すること、
前記第２ネットワークエレメントが第１プライベート通信網をサポートし、端末がタイプＡの第２プライベート通信網へのアクセスを要求する場合、前記端末のアクセスを許可する（即ち、前記第２ネットワークエレメントが第１プライベート通信網をサポートし、端末が第２プライベート通信網へのアクセスを要求し且つタイプＡを指示する場合、前記端末のアクセスを許可する）こと、
前記第２ネットワークエレメントが第１プライベート通信網をサポートし、前記第１プライベート通信網への端末のローミングを許可し、且つ前記端末がタイプＡのプライベート通信網へのアクセスを要求する場合、前記端末のアクセスを許可する（即ち、前記第２ネットワークエレメントが第１プライベート通信網をサポートし、第１プライベート通信網への端末のローミングを許可すると指示し、且つタイプＡを指示する場合、前記端末のアクセスを許可する）こと、
前記第２ネットワークエレメントが第１公衆通信網をサポートし、前記第１公衆通信網への端末のローミングを許可し、且つ前記端末がタイプＡのプライベート通信網へのアクセスを要求する場合、前記端末のアクセスを許可する（即ち、前記第２ネットワークエレメントが第１公衆通信網をサポートし、前記第１公衆通信網への端末のローミングを許可し、且つタイプＡを指示する場合、前記端末のアクセスを許可する）こと、
前記第２ネットワークエレメントが第１プライベート通信網をサポートし、第２プライベート通信網からの端末の前記第１プライベート通信網へのローミングを許可し、且つ前記端末がタイプＡのプライベート通信網へのアクセスを要求する場合、前記端末のアクセスを許可する（即ち、前記第２ネットワークエレメントが第１プライベート通信網をサポートし、第２プライベート通信網からの端末の第１プライベート通信網へのローミングを許可し、且つタイプＡを指示する場合、前記端末のアクセスを許可する）こと、
前記第２ネットワークエレメントが第１公衆通信網をサポートし、第１プライベート通信網からの端末の前記第１公衆通信網へのローミングを許可し、且つ前記端末がタイプＡのプライベート通信網へのアクセスに要求する場合、前記端末のアクセスを許可する（即ち、第２ネットワークエレメントが第１公衆通信網をサポートし、第１プライベート通信網からの端末の第１公衆通信網へのローミングを許可すると指示し、且つタイプＡを指示する場合、前記端末のアクセスを許可する）ことのうちの少なくとも１つを含む。
【０１１４】
更に、前記のＣＮネットワークエレメントの選択動作を決定することは、
端末がアクセスを要求するプライベート通信網をサポートするＣＮネットワークエレメントを選択する（１つの実施形態において、前記第２ネットワークエレメントがプライベート通信網をサポートする場合、端末がアクセスを要求するプライベート通信網をサポートするＣＮネットワークエレメントを選択する）こと、
端末がアクセスを要求するプライベート通信サービスをサポートするＣＮネットワークエレメントを選択する（１つの実施形態において、前記第２ネットワークエレメントがプライベート通信サービスをサポートする場合、端末がアクセスを要求するプライベート通信網をサポートするＣＮネットワークエレメントを選択する）こと、
前記第２ネットワークエレメントが第１プライベート通信網をサポートし、端末がタイプＡの第２プライベート通信網へのアクセスを要求する場合、前記第１プライベート通信網をサポートするＣＮネットワークエレメントを選択する（即ち、第２ネットワークエレメントが第１プライベート通信網をサポートし、端末が第２プライベート通信網へのアクセスを要求し且つタイプＡを指示する場合、第１プライベート通信網をサポートするＣＮネットワークエレメントを選択する）こと、
前記第２ネットワークエレメントが第１プライベート通信網をサポートし、端末の前記第１プライベート通信網へのローミングを許可し、且つ前記端末がタイプＡのプライベート通信網へのアクセスを要求する場合、前記第１プライベート通信網をサポートするＣＮネットワークエレメントを選択する（即ち、第２ネットワークエレメントが第１プライベート通信網をサポートし、端末の第１プライベート通信網へのローミングを許可すると指示し且つタイプＡを指示する場合、第１プライベート通信網をサポートするＣＮネットワークエレメントを選択する）こと、
前記第２ネットワークエレメントが第１公衆通信網をサポートし、端末の前記第１公衆通信網へのローミングを許可し、且つ前記端末がタイプＡのプライベート通信網へのアクセスを要求する場合、前記第１公衆通信網をサポートするＣＮネットワークエレメントを選択する（即ち、第２ネットワークエレメントが第１公衆通信網をサポートし、端末の第１公衆通信網へのローミングを許可し且つタイプＡを指示する場合、第１公衆通信網をサポートするＣＮネットワークエレメントを選択する）こと、
前記第２ネットワークエレメントが第１プライベート通信網をサポートし、第２プライベート通信網からの端末の前記第１プライベート通信網へのローミングを許可し、且つ前記端末がタイプＡのプライベート通信網へのアクセスを要求する場合、前記第１プライベート通信網をサポートするＣＮネットワークエレメントを選択する（即ち、第２ネットワークエレメントが第１プライベート通信網をサポートし、第２プライベート通信網からの端末の第１プライベート通信網へのローミングを許可すると指示し且つタイプＡを指示する場合、第１プライベート通信網をサポートするＣＮネットワークエレメントを選択する）こと、
前記第２ネットワークエレメントが第１公衆通信網をサポートし、第１プライベート通信網からの前記端末の前記第１公衆通信網へのローミングを許可し、且つ前記端末がタイプＡのプライベート通信網へのアクセスに要求する場合、前記第１公衆通信網をサポートするＣＮネットワークエレメントを選択する（即ち、第２ネットワークエレメントが第１公衆通信網をサポートし、第１プライベート通信網からの端末の第１公衆通信網へのローミングを許可すると指示し且つタイプＡを指示する場合、第１公衆通信網をサポートするＣＮネットワークエレメントを選択する）ことのうちの少なくとも１つを含む。
【０１１５】
上記方法によって、端末がアクセスを開始した後に、端末のアクセスを許可するか否か、及び／又は、ＣＮネットワークエレメントの選択動作を決定することができる。
【０１１６】
図５は、本開示の実施例に係る処理方法のフローチャートその４である。本実施例に係る処理方法は、第３ネットワークエレメントに応用される。前記第３ネットワークエレメントは、ＣＮネットワークエレメントを含む。図５に示すように、本実施例に係る処理方法は、以下のステップを含む。
【０１１７】
ステップ５０１において、端末のプライベート通信サービスの能力、端末が要求するプライベート通信サービスの情報、端末がアクセスを要求するプライベート通信網の情報、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報の少なくとも１つを含む第３情報を取得する。
【０１１８】
ステップ５０２において、取得した前記第３情報に基づいて、第１情報を決定する。
【０１１９】
ここで、前記第１情報は、図２に対応する方法の実施例に記載されたものを参照し、ここでは繰り返して述べない。
【０１２０】
更に、前記の取得した前記情報に基づいて第１情報を決定した後に、前記方法は、前記端末と前記ＲＡＮネットワークエレメントの少なくとも１つを含む第２目標側に前記第１情報を送信することを更に含む。
【０１２１】
もちろん、一部の実施形態において、前記の取得した前記情報に基づいて第１情報を決定した後に、端末のネットワークエレメントとの通信プロトコルに上記第１情報を固定化する。このように、端末とネットワークエレメントが直接プロトコルから第１情報を読み取ることができ、端末とネットワークエレメントとの間のシグナリングのやり取りを減少させ、システムリソースを節約することができる。
【０１２２】
上記方式によって、第１情報の内容を決定することができる。
【０１２３】
なお、図２、図３、図４及び図５に対応する方法の実施例は、個別で実現されてもよく、組み合わせて実現されてもよいが、本開示の実施例において、これについて限定しない。
【０１２４】
図２、図３及び図５の組み合わせで実現される構成では、ネットワークアクセス動作を端末が決定することを支援することができる。図２、図４及び図５の組み合わせで実現される構成では、ネットワークアクセス動作を端末が決定することを支援し、アクセスを開始した後に、端末のアクセスを許可するか否か、及び／又は、ＣＮネットワークエレメントの選択動作を決定することができる。
【０１２５】
図６は、本開示の実施例に係る処理方法のフローチャートその５である。本実施例に係る処理方法は、端末に応用される。図６に示すように、本実施例に係る処理方法は、以下のステップを含む。
【０１２６】
ステップ６０１において、移動制御情報、端末がアクセスするプライベート通信サービスの情報、端末がアクセスする第１プライベート通信網の情報、ネットワークエレメントがサポートするプライベート通信サービスの能力、ネットワークエレメントがサポートするプライベート通信網の情報の少なくとも１つを含む第４情報を取得する。
【０１２７】
選択可能に、端末は、ＣＮネットワークエレメント、ＲＡＮネットワークエレメント、ＡＭＦ、ＮＧ  ＲＡＮの少なくとも１つから第４情報を取得する。
【０１２８】
更に、端末がアクセスする第１プライベート通信網の情報の詳細は、図２に対応する方法の実施例でプライベート通信網情報に関する記載を参照し、ここでは繰り返して述べない。
【０１２９】
更に、前記移動制御情報は、第２ネットワークへのアクセス可否、アクセスが許可される第２ネットワークのネットワーク情報、アクセスが禁止される第２ネットワークのネットワーク情報、公衆通信網へのアクセスが許可されるプライベート通信サービスのアプリケーション情報、第２ネットワークへのアクセスが許可される第１プライベート通信網のアプリケーション情報の少なくとも１つを含む。
【０１３０】
具体的には図２に対応する方法の実施例で移動制御情報に関する記載を参照し、ここでは繰り返して述べない。ここで、第２ネットワークは、第２プライベート通信網及び公衆通信網の少なくとも１つを含む。
【０１３１】
更に、前記端末は、プライベート通信サービスの端末、第１プライベート通信網の端末の少なくとも１つである。第１プライベート通信網は、端末のホームネットワークである。
【０１３２】
更に、前記上位アプリケーションは、プライベート通信サービスの上位アプリケーション、第１プライベート通信網の上位アプリケーションの少なくとも１つである。
【０１３３】
更に、前記アプリケーション情報は、具体的には図２に対応する方法の実施例でアプリケーション情報に関する記載を参照し、ここでは繰り返して述べない。
【０１３４】
ネットワークエレメントは、ＲＡＮネットワークエレメント、ＣＮネットワークエレメントの少なくとも１つを含む。
【０１３５】
ステップ６０２において、前記第４情報に基づいてネットワーク移動動作を決定する。
【０１３６】
選択可能に、前記ネットワーク移動動作は、第１プライベート通信網内の移動動作、第１プライベート通信網と第２プライベート通信網との間の移動動作、プライベート通信網と公衆通信網との間の移動動作の少なくとも１つを含む。
【０１３７】
前記のネットワーク移動動作を決定することは、第２ネットワークにアクセスするか否かを決定すること、第１移動情報を第２ネットワークに送信すること、ローミング禁止の関連動作の少なくとも１つを含む。
【０１３８】
更に、前記の第２ネットワークにアクセスするか否かを決定することは、
第２ネットワークへのアクセスが許可される場合、第２ネットワークへアクセスすること、
第１プライベート通信網から出た場合、アクセスが許可される第２ネットワークのネットワーク情報に基づいて第２ネットワークにアクセスすること、
第２ネットワークへのアクセスが禁止される場合、第２ネットワークへのアクセスを禁止することのうちの少なくとも１つを含む。
【０１３９】
１つの実施形態において、端末がプライベート通信網と公衆通信網との間で移動し、又は、端末が第１プライベート通信網と第２ネットワークとの間で移動する場合、第１移動情報を第２ネットワークに送信する。
【０１４０】
更に、前記ローミング禁止の関連動作は、前記端末のコンテキストのリリース、プロトコルデータユニットＰＤＵ（Ｐｒｏｔｏｃｏｌ  Ｄａｔａ  Ｕｎｉｔ）セッションのハングアップ、ＰＤＵセッションのユーザプレーン接続のリリースの少なくとも１つを含む。
【０１４１】
１つの実施形態において、前記端末が第１プライベート通信網から出て且つ第２ネットワークへのアクセスが許可されない場合、ローミング禁止の関連動作を実行する。例えば、タイプＢの端末は、ローミングが許可されない。タイプＢの端末がプライベート通信網から出た場合、ローミング禁止の関連動作を実行する。
【０１４２】
更に、前記端末のコンテキストは、移動性管理コンテキスト、セッション管理コンテキスト、ＰＤＵセッションコンテキスト、登録コンテキストの少なくとも１つを含む。
【０１４３】
上記方法によって、第１プライベート通信網内の移動動作及び／又は第１プライベート通信網と第２ネットワークとの間の移動動作のネットワーク移動動作を決定することができる。
【０１４４】
図７は、本開示の実施例に係る処理方法のフローチャートその６である。本開示の実施例に係る処理方法は、第４ネットワークエレメントに応用される。前記第４ネットワークエレメントは、ＲＡＮネットワークエレメント、ＡＭＦ又はＳＭＦの少なくとも１つを含む。図７に示すように、本開示の実施例に係る処理方法は、以下のステップを含む。
【０１４５】
ステップ７０１において、端末がアクセスするプライベート通信サービスの情報、端末がアクセスする第１プライベート通信網の情報、移動制御情報、第６ネットワークエレメントがサポートするプライベート通信サービスの能力、第６ネットワークエレメントがサポートするプライベート通信網の情報の少なくとも１つを含む第４情報を取得する。
【０１４６】
１つの実施形態において、第６ネットワークエレメントは、第４ネットワークエレメントとは異なるネットワークエレメントである。
【０１４７】
選択可能に、第４ネットワークエレメントは、ＣＮネットワークエレメント、ＲＡＮネットワークエレメント、ＡＭＦ、ＮＧ  ＲＡＮの少なくとも１つから第４情報を取得する。
【０１４８】
更に、端末がアクセスする第１プライベート通信網の情報は、具体的には図２に対応する方法の実施例でプライベート通信網情報に関する記載を参照し、ここでは繰り返して述べない。
【０１４９】
更に、前記移動制御情報は、第２ネットワークへのアクセス可否、アクセスが許可される第２ネットワークのネットワーク情報、アクセスが禁止される第２ネットワークのネットワーク情報、公衆通信網へのアクセスが許可されるプライベート通信サービスのアプリケーション情報、第２ネットワークへのアクセスが許可される第１プライベート通信網のアプリケーション情報の少なくとも１つを含む。
【０１５０】
ここで、第２ネットワークは、第２プライベート通信網及び公衆通信網の少なくとも１つを含む。
【０１５１】
更に、前記端末は、プライベート通信サービスの端末、第１プライベート通信網の端末の少なくとも１つである。第１プライベート通信網は、端末のホームネットワークである。
【０１５２】
更に、前記上位アプリケーションは、プライベート通信サービスの上位アプリケーション、第１プライベート通信網の上位アプリケーションの少なくとも１つである。
【０１５３】
選択可能に、第６ネットワークエレメントは、ＲＡＮネットワークエレメント、ＣＮネットワークエレメント、ＡＭＦの少なくとも１つを含む。なお、第６ネットワークエレメントは、第４ネットワークエレメントとは異なるネットワークエレメントである。
【０１５４】
ステップ７０２において、前記第４情報に基づいて前記端末のネットワーク移動動作を決定する。
【０１５５】
１つの実施形態において、前記ネットワーク移動動作は、第１プライベート通信網内の移動動作、第１プライベート通信網と第２ネットワークとの間の移動動作の少なくとも１つのシナリオで発生する。
【０１５６】
ここで、第２ネットワークは、第２プライベート通信網及び公衆通信網の少なくとも１つを含む。
【０１５７】
更に、前記の前記端末のネットワーク移動動作を決定することは、目標ネットワークエレメントの選択、前記第４情報の目標ネットワークエレメントへの送信、端末の目標ネットワークエレメントへの移行、第１移動情報の送信、ローミング禁止の関連動作の少なくとも１つを含む。
【０１５８】
１つの実施形態において、端末を目標ネットワークエレメントに移行させることは、端末を目標ネットワークエレメントにハンドオーバすること、端末を目標ネットワークエレメントにリダイレクトすること、第１インタフェースに基づくハンドオーバを開始することの少なくとも１つを含む。第１インタフェースは、ＣＮとＲＡＮとの間のインタフェースであり、例えばＮＧインタフェースである。
【０１５９】
１つの実施形態において、第１移動情報は、公衆通信網からプライベート通信網への移動指示、プライベート通信網から公衆通信網への移動指示、プライベート通信網から出る指示、第１プライベート通信網から第２ネットワークに移動する指示の少なくとも１つを含む。
【０１６０】
選択可能に、目標ネットワークエレメントは、目標ＲＡＮネットワークエレメント、目標ＣＮネットワークエレメント、目標ＡＭＦの少なくとも１つを含む。
【０１６１】
更に、端末が第１プライベート通信網内を移動し、又は第２ネットワークから第１プライベート通信網に移動した場合、前記目標ネットワークエレメントの選択は、
前記端末がアクセスするプライベート通信網をサポートする第６ネットワークエレメントを目標ネットワークエレメントとして選択すること、
前記第６ネットワークエレメントが第１プライベート通信網をサポートし、前記端末が前記第１プライベート通信網にアクセスする場合、前記第１プライベート通信網をサポートする第６ネットワークエレメントを目標ネットワークエレメントとして選択すること、
前記端末がアクセスするプライベート通信サービスをサポートする第６ネットワークエレメントを目標ネットワークエレメントとして選択すること、
前記第６ネットワークエレメントが第１プライベート通信サービスをサポートし、前記端末が前記第１プライベート通信サービスにアクセスする場合、前記第１プライベート通信サービスをサポートする第６ネットワークエレメントを目標ネットワークエレメントとして選択すること、
端末がアクセスするプライベート通信網を第６ネットワークエレメントがサポートしない場合、移動制御情報に基づいて、アクセスが許可される第２ネットワークの目標ネットワークエレメントを選択することのうちの少なくとも１つを含む。
【０１６２】
更に、端末が第１プライベート通信網から出た場合、前記の目標ネットワークエレメントを選択する動作は、
第２ネットワークへアクセスが許可される場合、第２ネットワークをサポートする第６ネットワークエレメントを目標ネットワークエレメントとして選択すること、
第２ネットワークへアクセスが許可される場合、端末を第２ネットワークに移行させる動作を開始することのうちの少なくとも１つを含む。
【０１６３】
ここで、目標ネットワークエレメントを選択する際に、第１プライベート通信網と第２ネットワークをそれぞれサポートする第６ネットワークエレメントが存在する場合、第１プライベート通信網をサポートする第６ネットワークエレメントを優先的に目標ネットワークエレメントとして選択する。
【０１６４】
ここで、目標ネットワークエレメントを選択する際に、候補の第６ネットワークエレメントが同時に第１プライベート通信網と第２ネットワークをサポートする場合、第１プライベート通信網の情報を目標ネットワークエレメントに送信する。第１プライベート通信網の情報に基づいて、目標ネットワークエレメントは、端末がアクセスするのが第２ネットワークではなく第１プライベート通信網であることを明確化する。
【０１６５】
更に、端末が第１プライベート通信網と第２ネットワークとの間を移動する際に、前記の前記端末のネットワーク移動動作を決定することは、
第１移動情報を送信すること、第１インタフェースに基づくハンドオーバが開始することのうちの少なくとも１つを含む。
ここで、第１インタフェースは、ＲＡＮネットワークエレメントとＣＮネットワークエレメントとの間の通信インタフェースであり、例えばＮＧインタフェースである。
【０１６６】
更に、ローミング禁止の関連動作は、前記端末のコンテキストのリリース、ＰＤＵセッションのハングアップ、ＰＤＵセッションのユーザプレーン接続のリリースの少なくとも１つを含む。
【０１６７】
１つの実施形態において、前記端末が第１プライベート通信網から出て且つ第２ネットワークへのアクセスが許可されない場合、ローミング禁止の関連動作を実行する。例えば、タイプＢの端末は、ローミングが許可されない。タイプＢの端末がプライベート通信網から出た場合、ローミング禁止の関連動作を実行する。更に、前記端末のコンテキストは、移動性管理コンテキスト、セッション管理コンテキスト、ＰＤＵセッションコンテキスト、登録コンテキストの少なくとも１つを含む。
【０１６８】
上記方法によって、第１プライベート通信網内の移動動作及び／又は第１プライベート通信網と第２ネットワークとの間の移動動作のネットワーク移動動作を決定することができる。
【０１６９】
図８は、本開示の実施例に係る処理方法のフローチャートその７である。本開示の実施例に係る処理方法は、第５ネットワークエレメントに応用される。前記第５ネットワークエレメントは、ＣＮネットワークエレメントを含む。図８に示すように、本開示の実施例に係る処理方法は、以下のステップを含む。
【０１７０】
ステップ８０１において、端末がアクセスを要求するプライベート通信網、端末のプライベート通信サービスの能力、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報のうちの少なくとも１つを含む第５情報を取得する。
【０１７１】
ステップ８０２において、取得した前記第５情報に基づいて、第４情報を決定する。
【０１７２】
ここで、前記第４情報は、具体的には図６に対応する方法の実施例で第４情報に関する記載を参照し、ここでは繰り返して述べない。
【０１７３】
選択可能に、前記の取得した前記第５情報に基づいて第２情報を決定した後に、前記端末及び前記ＲＡＮネットワークエレメントの少なくとも１つを含む第２目標側に前記第４情報を送信することを更に含む。
【０１７４】
もちろん、一部の実施形態において、前記の取得した前記情報に基づいて第４情報を決定した後に、端末のネットワークエレメントとの通信プロトコルに上記第４情報を固定化する。このように、端末とネットワークエレメントが直接プロトコルから第４情報を読み取ることができ、端末とネットワークエレメントとの間のシグナリングのやり取りを減少させ、システムリソースを節約することができる。
【０１７５】
上記方式によって、第４情報の内容を決定することができる。
【０１７６】
なお、図６、図７及び図８に対応する方法の実施例は、個別で実現されてもよく、組み合わせて実現されてもよいが、本開示の実施例において、これについて限定しない。
【０１７７】
図６、図７及び図８の組み合わせで実現される構成では、第１プライベート通信網内の移動動作、及び／又は第１プライベート通信網と第２ネットワークとの間の移動動作のネットワーク移動動作を端末が決定することを支援することができる。
【０１７８】
理解を容易にするために、本開示は、以下のいくつかの実施例を提供し、本開示の実施例の測定方法を説明する。
【０１７９】
実施例１：登録又は位置更新。
本実施例では、主に、プライベート通信網に契約した端末が公衆通信網にローミングした後に、登録又は位置更新を行うプロセスを記載する。
なお、登録シナリオについて、本実施例におけるＡＭＦは、新規ＡＭＦを指す。
【０１８０】
図９を参照し、図９に示すように、以下のステップを含む。
【０１８１】
ステップ１において、端末は、第１情報に基づいて、プライベート通信網内のＲＡＮネットワークエレメントを選択する。端末は、ＲＡＮネットワークエレメントを介してＡＭＦに登録要求メッセージを送信する。
【０１８２】
具体的に実現する際に、端末の上位アプリケーションがデータを生成し、そのデータが、プライベート通信網を介したプライベート通信サービスを必要とする。
【０１８３】
１つの実施形態において、端末は、予め配置された第１情報のうち、プライベート通信サービスが許可されるエリア範囲情報に基づいて、ＲＡＮネットワークエレメントがプライベート通信網のサービスエリアであることを確認する。ＲＡＮネットワークがサービスエリアであればプライベート通信網への登録を開始する。
【０１８４】
別の実施形態において、ＲＡＮネットワークエレメントは、サポートされるプライベート通信網の情報をブロードキャストする。端末は、第１情報に含まれるプライベート通信網の識別子と、ＲＡＮネットワークエレメントによってブロードキャストされるサポートされるプライベート通信網の識別子とを比較して、プライベート通信網をサポートするＲＡＮネットワークエレメントを１つ選択して、プライベート通信網への登録を開始する。
【０１８５】
ステップ２において、選択可能に、旧ＡＭＦが存在する場合、ＡＭＦは、ＵＥコンテキスト転送を旧ＡＭＦに対し開始し、端末のコンテキストを取得する。ステップ２は、位置更新のシナリオに存在するが、登録シナリオには、ステップ２を含まなくてもよいことが理解できる。
【０１８６】
ステップ３において、ＡＭＦは、ＵＤＭへの登録を行い、端末の契約データを取得する。
【０１８７】
選択可能に、ＡＭＦは、端末の公衆通信トラフィックに関する契約データと、プライベート通信サービスに関する契約データの両方を取得する。
【０１８８】
ＡＭＦは、ＵＤＭから端末の契約情報を取得する。選択可能に、ＵＤＭは、端末のプライベート通信網の契約情報をＡＭＦに送信する。
【０１８９】
ステップ４において、ＡＭＦは、第１情報に基づいてＰＣＦを選択する。ＰＣＦは、プライベート通信網におけるＰＣＦである。ＡＭＦとＰＣＦとの間では、端末に関するポリシー関連確立を確立する。選択可能に、前記ＰＣＦからＡＭＦに送信するポリシー関連確立メッセージには、第１情報を含める。
【０１９０】
ステップ５において、ＡＭＦは、ＲＡＮネットワークエレメントを介して端末に登録受付メッセージを送信する。選択可能に、前記登録受付メッセージには、第１情報が含まれる。端末は、上記第１情報を受信すると、上記第１情報に基づいてローカルの第１情報を更新する。
【０１９１】
ＡＭＦは、登録受付メッセージを含むＮＧインタフェースメッセージを５Ｇ無線アクセスネットワークネットワークエレメントに送信する。選択可能に、ＮＧインタフェースメッセージには、第４の情報が含まれる。
【０１９２】
５Ｇ無線アクセスネットワークは、端末にＲＲＣメッセージを送信し、ＲＲＣメッセージには登録受付メッセージが含まれる。
【０１９３】
ステップ６において、端末は、ＲＡＮネットワークエレメントを介してＡＭＦに登録完了メッセージを送信する。
【０１９４】
実施例２：Ｘｎに基づくプライベート通信網内ハンドオーバ。
本実施例では、主に、プライベート通信網に契約した端末のプライベート通信網におけるＸｎインタフェースに基づくハンドオーバプロセスを記載する。図１０を参照し、図１０に示すように、以下のステップを含む。
【０１９５】
ステップ１において、取得した第４情報に基づき、ハンドオーバイベントが発生すると、ソースＲＡＮネットワークエレメントは、目標セルがプライベート通信網のサービスエリアに属することを確認すると、Ｘｎインタフェースに基づくハンドオーバを開始し、又はＮ２ハンドオーバを開始する。本実施例は、Ｘｎインタフェースに基づくハンドオーバ実施例である。
【０１９６】
ステップ２において、ソースＲＡＮネットワークエレメントは、Ｘｎハンドオーバ要求メッセージを目標ＲＡＮネットワークエレメントに送信する。選択可能に、前記Ｘｎハンドオーバ要求メッセージには、第１移動情報が含まれる。
【０１９７】
実施例３：ＮＧインタフェースに基づくプライベート通信網内ハンドオーバ。
本実施例では、主に、プライベート通信網に契約した端末のプライベート通信網におけるＮＧインタフェースに基づくハンドオーバプロセスを記載する。図１１を参照し、図１１に示すように、以下のステップを含む。
【０１９８】
ステップ１において、取得した第４情報に基づき、ハンドオーバイベントが発生すると、ソースＲＡＮネットワークエレメントは、目標セルがプライベート通信網のサービスエリアに属することを確認すると、ＮＧインタフェースに基づくハンドオーバを開始し、又はＸｎインタフェースに基づくハンドオーバを開始する。本実施例は、ＮＧインタフェースに基づくハンドオーバ実施例である。
【０１９９】
ステップ２において、ＲＡＮネットワークエレメントは、ＮＧハンドオーバ要求を目標ＲＡＮネットワークエレメントに送信する。選択可能に、前記ＮＧハンドオーバ要求メッセージには、第１移動情報が含まれる。
【０２００】
ステップ３において、ソースＡＭＦは、目標ＡＭＦを選択する。
【０２０１】
ソースＡＭＦは、目標ＡＭＦにコンテキスト作成要求を送信する。
【０２０２】
ステップ４において、目標ＡＭＦは、ＳＭＦにＳＭコンテキスト作成要求を送信する。
【０２０３】
ステップ５において、選択可能に、ＳＭＦは、Ｖ−ＵＰＦを選択する。
【０２０４】
Ｖ−ＳＭＦは、選択したＶ−ＵＰＦにＮ４セッション確立を送信する。
【０２０５】
ステップ６において、ＳＭＦは、目標ＡＭＦにＳＭコンテキスト作成応答を送信する。
【０２０６】
ステップ７において、目標ＡＭＦは、目標ＲＡＮネットワークエレメントにハンドオーバ要求を送信する。
【０２０７】
ステップ８において、目標ＲＡＮネットワークエレメントは、目標ＡＭＦにハンドオーバ要求確認を送信する。
【０２０８】
ステップ９において、目標ＡＭＦは、ＳＭＦにＳＭコンテキスト更新要求を送信する。
【０２０９】
ＰＤＵセッションのＮ３インタフェースＲＡＮ側アドレスの更新を要求する。
【０２１０】
ステップ１０において、ＳＭＦは、Ｎ４セッション更新をＶ−ＵＰＦに送信する。
【０２１１】
ステップ１１において、ＳＭＦは、目標ＡＭＦにＳＭコンテキスト更新応答を返す。
【０２１２】
ステップ１２において、目標ＡＭＦは、ソースＡＭＦにコンテキスト作成応答を送信する。
【０２１３】
ステップ１３において、ソースＡＭＦは、ソースＲＡＮネットワークエレメントにハンドオーバコマンドを送信する。
【０２１４】
ステップ１４において、ＲＡＮネットワークエレメントは、端末にＲＲＣメッセージを送信する。ＲＲＣメッセージには、ハンドオーバコマンドが含まれる。
【０２１５】
ステップ１５において、端末は、目標ＲＡＮネットワークエレメントにアクセスする。
【０２１６】
ステップ１６において、目標ＲＡＮネットワークエレメントは、目標ＡＭＦにハンドオーバ通知を送信する。
【０２１７】
ステップ１７において、目標ＡＭＦは、ソースＡＭＦにハンドオーバ完了を送信する。
【０２１８】
ステップ１８において、ソースＡＭＦは、ＳＭＦにＳＭコンテキスト更新要求メッセージを送信する。
【０２１９】
中間Ｖ−ＵＰＦが挿入されているため、前記メッセージは、Ｈ−ＵＰＦの下りＡＮチャネル情報の更新が要求される。
【０２２０】
ステップ１９において、Ｈ−ＳＭＦは、Ｎ４セッション修正をＨ−ＵＰＦに送信する。
【０２２１】
ステップ２０において、Ｈ−ＳＭＦは、ソースＡＭＦにＳＭコンテキスト更新応答を送信する。
【０２２２】
実施例４：ローミングが許可されないモードであり、プライベート通信網からの離脱、リリース又はハングアップ。
本実施例では、主に、プライベート通信網に契約した端末がプライベート通信網から公衆通信網にハンドオーバするプロセスを記載する。図１２を参照し、図１２に示すように、以下のステップを含む。
【０２２３】
ステップ１において、取得した第４情報に基づいて、ハンドオーバイベントが発生すると、ＲＡＮネットワークエレメントは、目標セルがプライベート通信網のサービスエリアに属さないことを確認する。ＲＡＮネットワークエレメントは、ＮＧハンドオーバ要求又は端末に対するＮＧインタフェースの接続リリース要求のようなＮＧインタフェースメッセージをＡＭＦに送信する。
【０２２４】
選択可能に、前記ＮＧインタフェースメッセージには、第１移動情報が含まれる。第１移動情報は、公衆通信網からプライベート通信網への移動指示、プライベート通信網から公衆通信網への移動指示、ソースＲＡＮネットワークエレメント又はソースセルがサポートするプライベート通信網の識別子、目標ＲＡＮネットワークエレメント又は目標セルがサポートするプライベート通信網の識別子、目標ノードがサポートするネットワークタイプのいずれかを含む。
【０２２５】
ステップ２において、ＡＭＦは、ＳＭＦにＳＭコンテキスト更新要求を送信する。
【０２２６】
選択可能に、第１移動情報が含まれる。
【０２２７】
ステップ３において、ＳＭＦは、第１移動情報に基づいて、ＰＤＵセッションをリリースするか、又はＰＤＵセッションをハングアップする。ＳＭＦは、Ｎ４セッション修正又はＮ４セッションリリースをＵＰＦに送信する。
【０２２８】
ステップ４において、ＳＭＦは、ＡＭＦにＳＭコンテキスト更新応答を送信する。
【０２２９】
ステップ５において、ＡＭＦは、ＲＡＮネットワークエレメントにＮＧインタフェースメッセージを送信する。
【０２３０】
ステップ６において、ＲＡＮネットワークエレメントは、ＲＲＣメッセージを介して端末のＲＲＣ接続をリリースし、又は端末をＲＲＣ非活性状態に配置する。
【０２３１】
実施例５：ローミングが許可されないモードであり、プライベート通信網から公衆通信網への位置更新。
本実施例では、主に、公衆通信網へのローミングが許可されないプライベート通信網の端末が、公衆通信網で位置更新を開始するプロセスを説明する。図１３を参照し、図１３に示すように、以下のステップを含む。
【０２３２】
ステップ１において、端末は、ＲＡＮネットワークエレメントを介して、目標ＡＭＦに登録要求メッセージを送信する。登録要求メッセージには、ソースＡＭＦの情報が含まれる。
【０２３３】
ステップ２において、目標ＡＭＦは、ソースＡＭＦにＵＥコンテキスト転送を送信する。ＵＥコンテキスト転送メッセージには、目標ネットワークの情報（ＩＤ、タイプ）が含まれる。目標ネットワークの情報は、公衆転送ネットワーク情報として示される。
【０２３４】
ステップ３において、目標ネットワークの情報に基づいて、ソースＡＭＦは、端末がプライベート通信網のサービスエリア外に移動したことを確認する。
【０２３５】
ステップ３において、ソースＡＭＦは、ＰＤＵセッション更新要求又は端末位置通知メッセージをＳＭＦに送信する。ＰＤＵセッションのハングアップ又はＰＤＵセッションのリリースを要求する。
【０２３６】
ステップ４において、ＳＭＦは、Ｎ４セッション修正又はＮ４セッションリリースをＵＰＦに送信する。
【０２３７】
ステップ５において、ＳＭＦは、ＰＤＵセッション更新応答をソースＡＭＦに送信する。
【０２３８】
ステップ６において、ソースＡＭＦは、目標ＡＭＦにＵＥコンテキスト転送拒否を送信する。拒否理由は、端末がプライベート通信網の圏外に移動したことを示す。
【０２３９】
目標ＡＭＦは、端末の契約情報をＵＤＭから取得し、現在のネットワークへの端末のアクセスが許可されないことを確認することもできる。
【０２４０】
ステップ７において、目標ＡＭＦは、ＲＡＮノードを介して登録拒否を端末に返す。
【０２４１】
実施例６：ローミングが許可されるモードであり、プライベート通信網から公衆通信網へのハンドオーバ。
本実施例では、主に、プライベート通信網に契約した端末が、プライベート通信網から公衆通信網にハンドオーバするプロセスを説明する。図１４を参照し、図１４に示すように、以下のステップを含む。
【０２４２】
ステップ１において、取得した第４情報に基づいて、ハンドオーバイベントが発生すると、ソースＲＡＮネットワークエレメントは、目標セルがプライベート通信網のサービスエリアに属さないことを確認し、Ｎ２ハンドオーバを開始する。
【０２４３】
ステップ２において、ソースＲＡＮネットワークエレメントは、Ｎ２ハンドオーバ要求をソースネットワークに送信する。選択可能に、前記Ｎ２ハンドオーバ要求メッセージには、第１移動情報が含まれる。
【０２４４】
ステップ３において、ソースＡＭＦは、ＰＤＵセッションコンテキスト要求をＨ−ＳＭＦに送信する。選択可能に、第１移動情報を含む。
【０２４５】
ソースＳＭＦは、第１移動指示情報に基づいて、ハンドオーバされるＰＤＵセッションを選択する。１つの実施形態において、すべてのＰＤＵセッションについて、プライベート通信網から公衆通信網へのハンドオーバが許可されるわけではない。
【０２４６】
ステップ４において、ソースＡＭＦは、目標ＡＭＦを選択する。ソースＡＭＦは、目標ＡＭＦにコンテキスト作成要求を送信する。
【０２４７】
ステップ５において、目標ＡＭＦは、ＳＭコンテキスト作成要求をＶ−ＳＭＦに送信する。
【０２４８】
ステップ６において、Ｖ−ＳＭＦは、Ｖ−ＵＰＦを選択する。Ｖ−ＳＭＦは、選択したＶ−ＵＰＦにＮ４セッション確立を送信する。
【０２４９】
ステップ７において、Ｖ−ＳＭＦは、目標ＡＭＦにＳＭコンテキスト作成応答を送信する。
【０２５０】
ステップ８において、目標ＡＭＦは、目標ＲＡＮネットワークエレメントにハンドオーバ要求を送信する。
【０２５１】
ステップ９において、目標ＲＡＮネットワークエレメントは、目標ＡＭＦにハンドオーバ要求確認を送信する。
【０２５２】
ステップ１０において、目標ＡＭＦは、Ｖ−ＳＭＦにＳＭコンテキスト更新要求を送信する。ＰＤＵセッションのＮ３インタフェースＲＡＮ側アドレスの更新を要求する。
【０２５３】
ステップ１１において、Ｖ−ＳＭＦは、Ｎ４セッション更新をＶ−ＵＰＦに送信する。
【０２５４】
ステップ１２において、Ｖ−ＳＭＦは、ＳＭコンテキスト更新応答を目標ＡＭＦに返す。
【０２５５】
ステップ１３において、目標ＡＭＦは、ソースＡＭＦにコンテキスト作成応答を送信する。
【０２５６】
ステップ１４において、ソースＡＭＦは、ソースＲＡＮネットワークエレメントにハンドオーバコマンドを送信する。
【０２５７】
ステップ１５において、ＲＡＮネットワークエレメントは、端末にＲＲＣメッセージを送信する。ＲＲＣメッセージには、ハンドオーバコマンドが含まれる。
【０２５８】
ステップ１６において、端末は、目標ＲＡＮネットワークエレメントにアクセスする。
【０２５９】
ステップ１７において、目標ＲＡＮネットワークエレメントは、目標ＡＭＦにハンドオーバ通知を送信する。
【０２６０】
ステップ１８において、目標ＡＭＦは、ソースＡＭＦにハンドオーバ完了を送信する。
【０２６１】
ステップ１９において、ソースＡＭＦは、Ｈ−ＳＭＦに対し、ＳＭコンテキスト更新要求メッセージを送信する。
【０２６２】
中間Ｖ−ＵＰＦが挿入されているため、前記メッセージは、Ｈ−ＵＰＦの下りＡＮチャネル情報の更新が要求される。
【０２６３】
ステップ２０において、Ｈ−ＳＭＦは、Ｎ４セッション修正をＨ−ＵＰＦに送信する。
【０２６４】
ステップ２１において、Ｈ−ＳＭＦは、ソースＡＭＦにＳＭコンテキスト更新応答を送信する。
【０２６５】
ハンドオーバが完了すると、端末とＤＮ間のデータは、目標ＲＡＮネットワークエレメント、Ｖ−ＵＰＦ、Ｈ−ＵＰＦ間のデータチャネルを介して転送される。端末とＨ−ＳＭＦとの間のセッション管理シグナリングは、目標ＲＡＮネットワークエレメント、ＡＭＦ、Ｖ−ＳＭＦ間で転送される。
【０２６６】
端末がプライベート通信網から公衆通信網に参入する際、端末上の全てのプライベート通信サービスが公衆通信網にハンドオーバできるとは限らない。Ｈ−ＳＭＦは、どのプライベート通信サービスが公衆通信網にハンドオーバできるかをＲＡＮネットワークエレメントが示す指示に基づいて決定する。
【０２６７】
本開示の実施例に係る処理方法は、少なくとも以下の改善点を含む。
プライベート通信サービスに関するポリシーを端末に提供することによって、端末の動作を指導することができる。
移動制御情報を端末及び無線アクセスネットワークに提供することによって、プライベート通信網内の移動動作、及び／又は、プライベート通信網と公衆通信網との間の移動動作のネットワーク移動動作を指導することができる。
【０２６８】
このように、本開示の実施例に係る処理方法によれば、端末のトラフィックの開始モードや、プライベート通信サービスの移動制御を指導することができる。
【０２６９】
図１５は、本開示の実施例に係る端末の構造図その１である。図１５に示すように、端末１５００は、
プライベート通信サービスの情報、移動制御情報、上位アプリケーションのルーティング情報の少なくとも１つを含む第１情報を取得する第１取得モジュール１５０１と、
前記第１情報に基づいてネットワークアクセス動作を決定する第１決定モジュール１５０２とを含む。
【０２７０】
選択可能に、第１決定モジュール１５０２は、具体的には、アクセス先の通信網のタイプを決定し、アクセス先の通信網を選択し、プライベート通信サービスをサポートするネットワークである第１ネットワークへのアクセス方式を決定する。
【０２７１】
選択可能に、第１決定モジュール１５０２は、具体的には、
上位アプリケーションに許可される通信網のタイプに基づいて、プライベート通信網にアクセスするか、又は公衆通信網にアクセスするかを決定し、
ネットワークがサポートするプライベート通信網に基づいて、アクセス先の通信網を選択し、
前記端末がサポートするプライベート通信サービスの能力、及び前記端末がアクセスを要求するプライベート通信網の情報のうちの少なくとも１つを前記第１ネットワークに送信する。
【０２７２】
選択可能に、前記プライベート通信サービスの情報は、プライベート通信サービスの指示情報、プライベート通信網をサポートする事業者ネットワーク情報、プライベート通信網の情報、プライベート通信サービスが許可されるエリア範囲情報、プライベート通信サービスが禁止されるエリア範囲情報、プライベート通信サービスが許可される上位アプリケーションのアプリケーション情報、プライベート通信サービスが禁止される上位アプリケーションのアプリケーション情報の少なくとも１つを含む。
【０２７３】
選択可能に、前記プライベート通信網の情報は、ＰＬＭＮの識別子、プライベート通信網の識別子、プライベート通信網のタイプの少なくとも１つを含む。
【０２７４】
選択可能に、前記プライベート通信網のタイプは、タイプＡ及びタイプＢの少なくとも一方を含む。
【０２７５】
選択可能に、前記移動制御情報は、第２プライベート通信網及び公衆通信網の少なくとも１つを含む第２ネットワークへのアクセス可否、アクセスが許可される第２ネットワークのネットワーク情報、アクセスが禁止される第２ネットワークのネットワーク情報、公衆通信網へのアクセスが許可されるプライベート通信サービスのアプリケーション情報、第２ネットワークへのアクセスが許可される第１プライベート通信網のアプリケーション情報の少なくとも１つを含む。
【０２７６】
選択可能に、前記上位アプリケーションのルーティング情報は、アプリケーション情報、ルーティング記述情報の少なくとも１つを含む。
【０２７７】
選択可能に、前記ルーティング記述情報は、プライベート通信サービスのネットワークスライス情報、プライベート通信サービスのデータネットワーク名ＤＮＮ、プライベート通信サービスのセッション及びサービス継続性ＳＳＣモード、プライベート通信サービスのパケットデータネットワークＰＤＮタイプ、優先的にアクセスする通信網のタイプ、アクセスが許可される通信網のタイプ、アクセスが禁止される通信網のタイプ、優先的にアクセスする通信網のネットワーク情報、アクセスが許可される通信網のネットワーク情報、アクセスが禁止される通信網のネットワーク情報、優先的にアクセスする通信サービスのタイプ、許可される通信サービスのタイプ、禁止される通信サービスのタイプの少なくとも１つを含む。
【０２７８】
選択可能に、前記通信網のタイプは、プライベート通信網、公衆通信網の少なくとも１つを含む。
【０２７９】
端末１５００は、本開示の図２に対応する方法の実施例の各手順を実現することができ、同じ効果を奏することもできるので、重複を避けるために、ここでは繰り返して述べない。
【０２８０】
図１６は、本開示の実施例に係る第１ネットワークエレメントの構造図である。本実施例に係る第１ネットワークエレメントは、ＲＮＡネットワークエレメントを含む。図１６に示すように、第１ネットワークエレメント１６００は、
前記第１ネットワークエレメントにサポートされるプライベート通信網の情報、前記第１ネットワークエレメントがプライベート通信サービスをサポートする能力、プライベート通信網のリダイレクト情報のうちの少なくとも１つを、端末及びコアネットワークＣＮネットワークエレメントの少なくとも１つを含む第１目標側に送信する第１送信モジュール１６０１を含む。
【０２８１】
選択可能に、前記サポートされるプライベート通信網の情報は、サポートされるプライベート通信網の識別子、サポートされるプライベート通信網の周波数ポイント、サポートされるプライベート通信網のリダイレクトの周波数ポイント情報の少なくとも１つを含む。
【０２８２】
第１ネットワークエレメント１６００は、本開示の図３に対応する方法の実施例の各手順を実現することができ、同じ効果を奏することもできるので、重複を避けるために、ここでは繰り返して述べない。
【０２８３】
図１７は、本開示の実施例に係る第２ネットワークエレメントの構造図である。本実施例に係る第２ネットワークエレメントは、ＲＮＡネットワークエレメントを含む。図１７に示すように、第２ネットワークエレメント１７００は、
端末のプライベート通信サービスの能力、端末がアクセスを要求するプライベート通信サービスの情報、端末がアクセスを要求するプライベート通信網の情報、ＣＮネットワークエレメントがサポートするプライベート通信サービスの能力、ＣＮネットワークエレメントがサポートするプライベート通信網の情報、端末がアクセスするプライベート通信サービスの情報、端末がアクセスするプライベート通信網の情報、ＲＡＮネットワークエレメントがサポートするプライベート通信サービスの能力、ＲＡＮネットワークエレメントがサポートするプライベート通信網の情報のうちの少なくとも１つを含む第２情報を取得する第２取得モジュール１７０１と、
取得した前記第２情報に基づいて、端末のアクセス動作を許可するか否かを決定し、及び／又は、ＣＮネットワークエレメントの選択動作を決定する第２決定モジュール１７０２を含む。
【０２８４】
選択可能に、前記第２決定モジュール１７０２は、具体的には、
前記第２ネットワークエレメントがプライベート通信網をサポートせず、端末がタイプＢのプライベート通信網へのアクセスを要求する場合、前記端末のアクセスを禁止すること、
前記第２ネットワークエレメントが第１プライベート通信網をサポートし、且つ端末が前記第１プライベート通信網へのアクセスを要求する場合、前記端末のアクセスを許可すること、
前記第２ネットワークエレメントが第１プライベート通信網をサポートし、端末がタイプＡの第２プライベート通信網へのアクセスを要求する場合、前記端末のアクセスを許可すること、
前記第２ネットワークエレメントが第１プライベート通信網をサポートし、前記第１プライベート通信網への端末のローミングを許可し、且つ前記端末がタイプＡのプライベート通信網へのアクセスを要求する場合、前記端末のアクセスを許可すること、
前記第２ネットワークエレメントが第１公衆通信網をサポートし、前記第１公衆通信網への端末のローミングを許可し、且つ前記端末がタイプＡのプライベート通信網へのアクセスを要求する場合、前記端末のアクセスを許可すること、
前記第２ネットワークエレメントが第１プライベート通信網をサポートし、第２プライベート通信網からの端末の前記第１プライベート通信網へのローミングを許可し、且つ前記端末がタイプＡのプライベート通信網へのアクセスを要求する場合、前記端末のアクセスを許可すること、
前記第２ネットワークエレメントが第１公衆通信網をサポートし、第１プライベート通信網からの端末の前記第１公衆通信網へのローミングを許可し、且つ前記端末がタイプＡのプライベート通信網へのアクセスに要求する場合、前記端末のアクセスを許可することのうちの少なくとも１つに用いられる。
【０２８５】
選択可能に、前記第２決定モジュール１７０２は、具体的には、
端末がアクセスを要求するプライベート通信網をサポートするＣＮネットワークエレメントを選択すること、
端末がアクセスを要求するプライベート通信サービスをサポートするＣＮネットワークエレメントを選択すること、
端末が前記第１プライベート通信網へのアクセスを要求する場合、前記第１プライベート通信網をサポートするＣＮネットワークエレメントを選択すること、
前記第２ネットワークエレメントが第１プライベート通信網をサポートし、端末がタイプＡの第２プライベート通信網へのアクセスを要求する場合、前記第１プライベート通信網をサポートするＣＮネットワークエレメントを選択すること、
前記第２ネットワークエレメントが第１プライベート通信網をサポートし、端末の前記第１プライベート通信網へのローミングを許可し、且つ前記端末がタイプＡのプライベート通信網へのアクセスを要求する場合、前記第１プライベート通信網をサポートするＣＮネットワークエレメントを選択すること、
前記第２ネットワークエレメントが第１公衆通信網をサポートし、端末の前記第１公衆通信網へのローミングを許可し、且つ前記端末がタイプＡのプライベート通信網へのアクセスを要求する場合、前記第１公衆通信網をサポートするＣＮネットワークエレメントを選択すること、
前記第２ネットワークエレメントが第１プライベート通信網をサポートし、第２プライベート通信網からの端末の前記第１プライベート通信網へのローミングを許可し、且つ前記端末がタイプＡのプライベート通信網へのアクセスを要求する場合、前記第１プライベート通信網をサポートするＣＮネットワークエレメントを選択すること、
前記第２ネットワークエレメントが第１公衆通信網をサポートし、第１プライベート通信網からの前記端末の前記第１公衆通信網へのローミングを許可し、且つ前記端末がタイプＡのプライベート通信網へのアクセスに要求する場合、前記第１公衆通信網をサポートするＣＮネットワークエレメントを選択することのうちの少なくとも１つに用いられる。
【０２８６】
第２ネットワークエレメント１７００は、図４に対応する本開示の方法の実施例の各手順を実現することができ、同じ効果を奏することもできるので、重複を避けるために、ここでは繰り返して述べない。
【０２８７】
図１８は、本開示の実施例に係る第３ネットワークエレメントの構造図である。本実施例に係るネットワークエレメントは、ＣＮネットワークエレメントである。図１８に示すように、第３ネットワークエレメント１８００は、
端末のプライベート通信サービスの能力、端末が要求するプライベート通信サービスの情報、端末がアクセスを要求するプライベート通信網の情報、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報の少なくとも１つを含む第３情報を取得する第３取得モジュール１８０１と、
取得した前記第３情報に基づいて、プライベート通信サービスの情報、移動制御情報、上位アプリケーションのルーティング情報の少なくとも１つを含む第１情報を決定する第３決定モジュール１８０２とを含む。
【０２８８】
選択可能に、前記第３ネットワークエレメント１８００は、前記の取得した前記情報に基づいて第１情報を決定した後に、前記端末及び前記ＲＡＮネットワークエレメントの少なくとも１つを含む第２目標側に前記第１情報を送信する第２送信モジュールを更に含む。
【０２８９】
第３ネットワークエレメント１８００は、図５に対応する本開示の方法の実施例の各手順を実現することができ、同じ効果を奏することもできるので、重複を避けるために、ここでは繰り返して述べない。
【０２９０】
図１９は、本開示の実施例に係る端末の構造図その２である。図１９に示すように、端末１９００は、
移動制御情報、端末がアクセスするプライベート通信サービスの情報、端末がアクセスする第１プライベート通信網の情報、ネットワークエレメントがサポートするプライベート通信サービスの能力、ネットワークエレメントがサポートするプライベート通信網の情報の少なくとも１つを含む第４情報を取得する第４取得モジュール１９０１と、
前記第４情報に基づいてネットワーク移動動作を決定する第４決定モジュール１９０２とを含む。
【０２９１】
選択可能に、前記ネットワーク移動動作は、第１プライベート通信網内の移動動作、第１プライベート通信網と、第２プライベート通信網及び公衆通信網の少なくとも１つを含む第２ネットワークとの間の移動動作の少なくとも１つを含む。
【０２９２】
選択可能に、第４決定モジュール１９０２は、具体的には、第２ネットワークにアクセスするか否かを決定すること、第１移動情報を第２ネットワークに送信すること、ローミング禁止の関連動作の少なくとも１つに用いられる。
【０２９３】
選択可能に、第４決定モジュール１９０２は、具体的には、
第２ネットワークへのアクセスが許可される場合、第２ネットワークへアクセスすること、
第１プライベート通信網から出た場合、アクセスが許可される第２ネットワークのネットワーク情報に基づいて第２ネットワークにアクセスすること、
第２ネットワークへのアクセスが禁止される場合、第２ネットワークへのアクセスを禁止することのうちの少なくとも１つに用いられる。
【０２９４】
選択可能に、前記ローミング禁止の関連動作は、前記端末のコンテキストのリリース、ＰＤＵセッションのハングアップ、ＰＤＵセッションのユーザプレーン接続のリリースの少なくとも１つを含む。
【０２９５】
端末１９００は、本開示の図６に対応する方法の実施例の各手順を実現することができ、同じ効果を奏することもできるので、重複を避けるために、ここでは繰り返して述べない。
【０２９６】
図２０は、本開示の実施例に係る第４ネットワークエレメントの構造図である。本実施例に係る第４ネットワークエレメントは、ＲＡＮネットワークエレメント、ＡＭＦ又はＳＭＦの少なくとも１つを含む。図２０に示すように、第４ネットワークエレメント２０００は、
端末がアクセスするプライベート通信サービスの情報、端末がアクセスする第１プライベート通信網の情報、移動制御情報、第６ネットワークエレメントがサポートするプライベート通信サービスの能力、第６ネットワークエレメントがサポートするプライベート通信網の情報を含む第４情報を取得する第５取得モジュール２００１と、
前記第４情報に基づいて前記端末のネットワーク移動動作を決定する第５決定モジュール２００２とを含む。
【０２９７】
選択可能に、前記ネットワーク移動動作は、第１プライベート通信網内の移動動作、第１プライベート通信網と、第２プライベート通信網及び公衆通信網のうち少なくとも１つを含む第２ネットワークとの間の移動動作の少なくとも１つを含む。
【０２９８】
選択可能に、前記第５決定モジュール２００２は、具体的には、目標ネットワークエレメントの選択、前記第４情報の目標ネットワークエレメントへの送信、端末の目標ネットワークエレメントへの移行、第１移動情報の送信、ローミング禁止の関連動作の少なくとも１つに用いられる。
ここで、目標ネットワークエレメントは、目標ＲＡＮネットワークエレメント、目標ＣＮネットワークエレメント、目標ＡＭＦの少なくとも１つを含む。
【０２９９】
選択可能に、端末が第１プライベート通信網内を移動し、又は第２ネットワークから第１プライベート通信網に移動した場合、前記第５決定モジュール２００２は、具体的には、
前記端末がアクセスするプライベート通信網をサポートする第６ネットワークエレメントを目標ネットワークエレメントとして選択すること、
前記第６ネットワークエレメントが第１プライベート通信網をサポートし、前記端末が前記第１プライベート通信網にアクセスする場合、前記第１プライベート通信網をサポートする第６ネットワークエレメントを目標ネットワークエレメントとして選択すること、
前記端末がアクセスするプライベート通信サービスをサポートする第６ネットワークエレメントを目標ネットワークエレメントとして選択すること、
前記第６ネットワークエレメントが第１プライベート通信サービスをサポートし、前記端末が前記第１プライベート通信サービスにアクセスする場合、前記第１プライベート通信サービスをサポートする第６ネットワークエレメントを目標ネットワークエレメントとして選択すること、
端末がアクセスするプライベート通信網を第６ネットワークエレメントがサポートしない場合、移動制御情報に基づいて、アクセスが許可される第２ネットワークの目標ネットワークエレメントを選択することのうちの少なくとも１つに用いられる。
【０３００】
選択可能に、端末が第１プライベート通信網から出た場合、第５決定モジュール２００２は、具体的には、
第２ネットワークへアクセスが許可される場合、第２ネットワークをサポートする第６ネットワークエレメントを目標ネットワークエレメントとして選択すること、
第２ネットワークへアクセスが許可される場合、端末を第２ネットワークに移行させる動作を開始することのうちの少なくとも１つに用いられる。
【０３０１】
選択可能に、端末がプライベート通信網と公衆通信網との間で移動し、又は、端末が第１プライベート通信網と第２ネットワークとの間を移動する際に、第５決定モジュール２００２は、具体的には、
第１移動情報を送信すること、
ＲＡＮネットワークエレメントとＣＮネットワークエレメントとの間の通信インタフェースである第１インタフェースに基づくハンドオーバが開始することのうちの少なくとも１つに用いられる。
【０３０２】
第４ネットワークエレメント２０００は、本開示の図７に対応する方法の実施例の各手順を実現することができ、同じ効果を奏することもできるので、重複を避けるために、ここでは繰り返して述べない。
【０３０３】
図２１は、本開示の実施例に係る第５ネットワークエレメントの構造図である。本実施例に係るネットワークエレメントは、ＣＮネットワークエレメントである。図２１に示すように、第５ネットワークエレメント２１００は、
端末がアクセスを要求するプライベート通信網、端末のプライベート通信サービスの能力、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報のうちの少なくとも１つを含む第５情報を取得する第６取得モジュール２１０１と、
取得した前記第５情報に基づいて、移動制御情報、端末がアクセスするプライベート通信サービスの情報、端末がアクセスする第１プライベート通信網の情報、第６ネットワークエレメントがサポートするプライベート通信サービスの能力、第６ネットワークエレメントがサポートするプライベート通信網の情報の少なくとも１つを含む第４情報を決定する第６決定モジュール２１０２とを含む。
【０３０４】
選択可能に、前記ＣＮネットワークエレメントは、前記の取得した前記第５情報に基づいて第２情報を決定した後に、前記端末及び前記ＲＡＮネットワークエレメントの少なくとも１つを含む第２目標側に前記第４情報を送信する第３送信モジュールを更に含む。
【０３０５】
第５ネットワークエレメント２１００は、図８に対応する本開示の方法の実施例の各手順を実現することができ、同じ効果を奏することもできるので、重複を避けるために、ここでは繰り返して述べない。
【０３０６】
図２２は、本開示の実施例に係る端末の構造図３であり、本開示の各実施例を実現する端末のハードウェア構造図である。図２２に示すように、端末２２００は、ラジオ周波数ユニット２２０１と、ネットワークモジュール２２０２と、音声出力ユニット２２０３と、入力ユニット２２０４と、センサ２２０５と、表示ユニット２２０６と、ユーザ入力ユニット２２０７と、インタフェースユニット２２０２２と、メモリ２２０９と、プロセッサ２２１０と、電源２２１１などの構成要素を含むが、それらに限定されない。図２２に示される端末の構造は、端末を限定するものではなく、端末は、図示されるよりも多い又は少ない構成要素を含むことができ、又は特定の構成要素を組み合わせることができ、又は異なる構成要素の構成を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【０３０７】
ここで、プロセッサ２２１０は、プライベート通信サービスの情報、移動制御情報、上位アプリケーションのルーティング情報の少なくとも１つを含む第１情報を取得し、前記第１情報に基づいてネットワークアクセス動作を決定する。
【０３０８】
選択可能に、プロセッサ２２１０は、更に、アクセス先の通信網のタイプを決定し、アクセス先の通信網を選択し、プライベート通信サービスをサポートするネットワークである第１ネットワークへのアクセス方式を決定する。
【０３０９】
選択可能に、プロセッサ２２１０は、更に、
上位アプリケーションに許可される通信網のタイプに基づいて、プライベート通信網にアクセスするか、又は公衆通信網にアクセスするかを決定し、
ネットワークがサポートするプライベート通信網に基づいて、アクセス先の通信網を選択する。
ラジオ周波数ユニット２２０１は、前記端末がサポートするプライベート通信サービスの能力、及び前記端末がアクセスを要求するプライベート通信網の情報のうちの少なくとも１つを前記第１ネットワークに送信する。
【０３１０】
選択可能に、前記プライベート通信サービスの情報は、プライベート通信サービスの指示情報、プライベート通信網をサポートする事業者ネットワーク情報、プライベート通信網の情報、プライベート通信サービスが許可されるエリア範囲情報、プライベート通信サービスが禁止されるエリア範囲情報、プライベート通信サービスが許可される上位アプリケーションのアプリケーション情報、プライベート通信サービスが禁止される上位アプリケーションのアプリケーション情報の少なくとも１つを含む。
【０３１１】
選択可能に、前記プライベート通信網の情報は、ＰＬＭＮの識別子、プライベート通信網の識別子、プライベート通信網のタイプの少なくとも１つを含む。
【０３１２】
選択可能に、前記プライベート通信網のタイプは、タイプＡ及びタイプＢの少なくとも一方を含む。
【０３１３】
選択可能に、前記移動制御情報は、第２プライベート通信網及び公衆通信網の少なくとも１つを含む第２ネットワークへのアクセス可否、アクセスが許可される第２ネットワークのネットワーク情報、アクセスが禁止される第２ネットワークのネットワーク情報、公衆通信網へのアクセスが許可されるプライベート通信サービスのアプリケーション情報、第２ネットワークへのアクセスが許可される第１プライベート通信網のアプリケーション情報の少なくとも１つを含む。
【０３１４】
選択可能に、前記上位アプリケーションのルーティング情報は、アプリケーション情報、ルーティング記述情報の少なくとも１つを含む。
【０３１５】
選択可能に、前記ルーティング記述情報は、プライベート通信サービスのネットワークスライス情報、プライベート通信サービスのデータネットワーク名ＤＮＮ、プライベート通信サービスのセッション及びサービス継続性ＳＳＣモード、プライベート通信サービスのパケットデータネットワークＰＤＮタイプ、優先的にアクセスする通信網のタイプ、アクセスが許可される通信網のタイプ、アクセスが禁止される通信網のタイプ、優先的にアクセスする通信網のネットワーク情報、アクセスが許可される通信網のネットワーク情報、アクセスが禁止される通信網のネットワーク情報、優先的にアクセスする通信サービスのタイプ、許可される通信サービスのタイプ、禁止される通信サービスのタイプの少なくとも１つを含む。
【０３１６】
選択可能に、前記通信網のタイプは、プライベート通信網、公衆通信網の少なくとも１つを含む。
【０３１７】
又は、プロセッサ２２１０は、
移動制御情報、端末がアクセスするプライベート通信サービスの情報、端末がアクセスする第１プライベート通信網の情報、ネットワークエレメントがサポートするプライベート通信サービスの能力、ネットワークエレメントがサポートするプライベート通信網の情報の少なくとも１つを含む第４情報を取得し、
前記第４情報に基づいてネットワーク移動動作を決定する。
【０３１８】
選択可能に、前記ネットワーク移動動作は、第１プライベート通信網内の移動動作、第１プライベート通信網と、第２プライベート通信網及び公衆通信網の少なくとも１つを含む第２ネットワークとの間の移動動作の少なくとも１つを含む。
【０３１９】
選択可能に、プロセッサ２２１０は、更に、第２ネットワークにアクセスするか否かを決定すること、第１移動情報を第２ネットワークに送信すること、ローミング禁止の関連動作の少なくとも１つに用いられる。
【０３２０】
選択可能に、プロセッサ２２１０は、更に、
第２ネットワークへのアクセスが許可される場合、第２ネットワークへアクセスすること、
第１プライベート通信網から出た場合、アクセスが許可される第２ネットワークのネットワーク情報に基づいて第２ネットワークにアクセスすること、
第２ネットワークへのアクセスが禁止される場合、第２ネットワークへのアクセスを禁止することのうちの少なくとも１つに用いられる。
【０３２１】
選択可能に、前記ローミング禁止の関連動作は、前記端末のコンテキストのリリース、ＰＤＵセッションのハングアップ、ＰＤＵセッションのユーザプレーン接続のリリースの少なくとも１つを含む。
【０３２２】
なお、本実施例における上記端末２２００は、本開示の実施例の方法の実施例の各手順を実現することができ、同じ効果を奏することもできるので、重複を避けるために、ここでは繰り返して述べない。
【０３２３】
なお、本開示の実施例において、ラジオ周波数ユニット２２０１は、情報の送受信又は通話中で信号の送受信に用いられる。具体的に、基地局からの下りデータを受信した後、プロセッサ２２１０による処理に供し、また、上りデータを基地局に送信する。一般に、ラジオ周波数ユニット２２０１は、アンテナ、少なくとも１つの増幅器、トランシーバ、結合器、低雑音増幅器、デュプレクサなどを含むが、それらに限定されない。また、ラジオ周波数ユニット２２０１は、無線通信システムを介してネットワークや他の機器と通信を行うこともできる。
【０３２４】
端末は、ネットワークモジュール２２０２を介して、電子メールの送受信、ウェブページの閲覧、ストリーミングメディアへのアクセスをサポートするなど、無線ブロードバンドインターネットアクセスをユーザに提供する。
【０３２５】
音声出力ユニット２２０３は、ラジオ周波数ユニット２２０１やネットワークモジュール２２０２が受信した音声データや、メモリ２２０９に記憶された音声データを音声信号に変換して音声として出力することができる。また、音声出力ユニット２２０３は、端末２２００が実行する特定の機能に関する音声（例えば、呼出信号着信音、メッセージ着信音等）を出力してもよい。音声出力ユニット２２０３は、スピーカ、ブザー及びレシーバなどを含む。
【０３２６】
入力ユニット２２０４は、音声や映像の信号を受信することに用いられる。入力ユニット２２０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）２２０４１と、マイク２２０４２とを含む。処理された画像フレームは、表示ユニット２２０６上に表示される。グラフィックスプロセッサ２２０４１で処理された画像フレームは、メモリ２２０９（又は他の記憶媒体）に記憶されるか、又はラジオ周波数ユニット２２０１又はネットワークモジュール２２０２を介して送信される。マイク２２０４２は、音声を受信し、音声データに加工することができる。処理された音声データは、電話通話モードの場合、ラジオ周波数ユニット２２０１を介して移動体通信基地局に送信可能な形式に変換して出力することができる。
【０３２７】
端末２２００は、光センサ、モーションセンサ及び他のセンサのような少なくとも１つのセンサ２２０５を更に含む。具体的には、光センサは、周辺光センサ及び近接センサを含む。周辺光センサは、周辺光の明暗に応じて表示パネル２２０６１の輝度を調節し、近接センサは、端末２２００が耳に移動したときに表示パネル２２０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横スクリーン切替、関連ゲーム、磁力計姿勢キャリブレーション）、振動認識関連機能（たとえば、歩数計、ストローク）などに用いることができる。センサ２２０５は、指紋センサ、圧力センサ、虹彩センサ、分子センサ、ジャイロスコープ、気圧計、湿度計、温度計、赤外線センサなどを更に含むことができるが、ここでは枚挙しない。
【０３２８】
表示ユニット２２０６は、ユーザが入力した情報やユーザに提供した情報を表示するために用いられる。表示ユニット２２０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル２２０６１を含んでもよい。
【０３２９】
ユーザ入力ユニット２２０７は、数字や文字情報の入力を受け付け、ユーザによる端末の設定や機能制御に関するキー信号の入力を行うことに用いられる。具体的に、ユーザ入力ユニット２２０７は、タッチパネル２２０７１と、その他の入力機器２２０７２とを含む。タッチパネル２２０７１は、タッチスクリーンとも呼ばれ、その上又は付近でのユーザのタッチ動作を取得可能である（たとえばユーザが指やスタイラスなどの任意の適切な物体や付属部材を用いたタッチパネル２２０７１の上又はタッチパネル２２０７１の付近での動作）。タッチパネル２２０７１は、タッチ検出装置とタッチコントローラの２つの部分を含む。ここで、タッチ検出装置は、ユーザのタッチ方位を検出し、タッチ動作による信号を検出してタッチコントローラに伝達する。タッチコントローラは、タッチ検出装置からのタッチ情報を受信し、それを接点座標に変換してプロセッサ２２１０に送り、プロセッサ２２１０からの命令を受信して実行する。なお、タッチパネル２２０７１は、抵抗膜式、静電容量式、赤外線、表面弾性波など、種々の方式を用いて実現することができる。ユーザ入力ユニット２２０７は、タッチパネル２２０７１の他に、他の入力機器２２０７２を含んでもよい。具体的に、他の入力機器２２０７２は、物理的なキーボード、機能キー（例えば、音量調節キー、スイッチキーなど）、トラックボール、マウス、レバーを含むが、ここでは枚挙しない。
【０３３０】
更に、タッチパネル２２０７１は、表示パネル２２０６１に重ねられる。タッチパネル２２０７１は、その上又はその近くでタッチ動作を検出すると、プロセッサ２２１０に送信して、タッチ事象のタイプを決定する。次いで、プロセッサ２２１０は、タッチ事象のタイプに応じて、対応する視覚的出力を表示パネル２２０６１に提供する。図２２では、タッチパネル２２０７１と表示パネル２２０６１は、独立した２つの部品として端末の入出力機能を実現するが、実施例によっては、タッチパネル２２０７１と表示パネル２２０６１を一体化して端末の入出力機能を実現することもでき、具体的にここでは限定しない。
【０３３１】
インタフェースユニット２２０８は、外部装置と端末２２００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット２２０８は、外部装置から入力（たとえば、データ情報、電力など）を受信し、受信した入力を端末２２００内の１つ以上のユニットに伝送するために使用されてもよく、又は端末２２００と外部装置との間でデータを伝送するために使用されてもよい。
【０３３２】
メモリ２２０９は、ソフトウェアプログラム及び様々なデータを格納するために使用される。メモリ２２０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ２２０９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０３３３】
プロセッサ２２１０は、端末の制御センタであり、各種インタフェースや回線を用いて端末全体の各部を接続し、メモリ２２０９に格納されたソフトウェアプログラム及び／又はモジュールを実行、メモリ２２０９に格納されたデータを呼び出して端末の各種機能及び処理データを実行し、端末全体の監視を行う。プロセッサ２２１０は、１つ以上の処理ユニットを含んでもよい。選択可能に、プロセッサ２２１０は、オペレーティングシステム、ユーザインタフェース及びアプリケーションなどを主に処理するアプリケーションプロセッサと、ワイヤレス通信を主に処理するモデムプロセッサとを統合することができる。上述のモデムプロセッサは、プロセッサ２２１０に統合されなくてもよいことが理解される。
【０３３４】
端末２２００は、各構成要素に電力を供給するためのバッテリのような電源２２１１を更に含んでもよい。選択可能に、電源２２１１は、電源管理システムを介してプロセッサ２２１０に論理的に接続されてもよく、電源管理システムを介して充電、放電、及び消費電力管理などを管理する機能を実現してもよい。
【０３３５】
また、端末２２００は、図示しない機能モジュールを更に含んでもよく、ここでの説明は省略する。
【０３３６】
選択可能に、本開示の実施例は、プロセッサ２２１０と、メモリ２２０９と、メモリ２２０９に格納されて前記プロセッサ２２１０で動作可能なコンピュータプログラムを含む端末を更に提供し、該コンピュータプログラムがプロセッサ２２１０によって実行されると、上記処理方法の実施例の各プロセスが実現され、且つ同じ効果を奏することもでき、重複を避けるために、ここでは繰り返して記載しない。
【０３３７】
図２３は、本開示の実施例に係るネットワークエレメントの構造図である。図２３に示すように、ネットワークエレメント２３００は、プロセッサ２３０１と、メモリ２３０２と、ユーザインタフェース２３０３と、トランシーバ２３０４と、バスインタフェースを含む。
【０３３８】
ここで、本開示の実施例において、ネットワークエレメント２３００は、メモリ２３０２に格納されてプロセッサ２３０１で動作可能なコンピュータプログラムを更に含む。
【０３３９】
シナリオ１：ネットワークエレメント２３００は、上記の方法の実施例における第１ネットワークエレメントを具現化する。
【０３４０】
コンピュータプログラムがプロセッサ２３０１によって実行されると、前記第１ネットワークエレメントにサポートされるプライベート通信網の情報、前記第１ネットワークエレメントがプライベート通信サービスをサポートする能力、プライベート通信網のリダイレクト情報のうちの少なくとも１つを、端末及びコアネットワークＣＮネットワークエレメントの少なくとも１つを含む第１目標側に送信するステップが実現される。
【０３４１】
選択可能に、前記サポートされるプライベート通信網の情報は、サポートされるプライベート通信網の識別子、サポートされるプライベート通信網の周波数ポイント、サポートされるプライベート通信網のリダイレクトの周波数ポイント情報の少なくとも１つを含む。
【０３４２】
シナリオ２：ネットワークエレメント２３００は、上記の方法の実施例における第２ネットワークエレメントを具現化する。
【０３４３】
コンピュータプログラムがプロセッサ２３０１によって実行されると、
端末のプライベート通信サービスの能力、端末がアクセスを要求するプライベート通信サービスの情報、端末がアクセスを要求するプライベート通信網の情報、ＣＮネットワークエレメントがサポートするプライベート通信サービスの能力、ＣＮネットワークエレメントがサポートするプライベート通信網の情報、端末がアクセスするプライベート通信サービスの情報、端末がアクセスするプライベート通信網の情報、ＲＡＮネットワークエレメントがサポートするプライベート通信サービスの能力、ＲＡＮネットワークエレメントがサポートするプライベート通信網の情報のうちの少なくとも１つを含む第２情報を取得するステップと、
取得した前記第２情報に基づいて、端末のアクセス動作を許可するか否かを決定すること、及び／又は、ＣＮネットワークエレメントの選択動作を決定するステップとが実現される。
【０３４４】
選択可能に、コンピュータプログラムがプロセッサ２３０１によって実行されると、更に、
前記第２ネットワークエレメントがプライベート通信網をサポートせず、端末がタイプＢのプライベート通信網へのアクセスを要求する場合、前記端末のアクセスを禁止するステップ、
前記第２ネットワークエレメントが第１プライベート通信網をサポートし、且つ端末が前記第１プライベート通信網へのアクセスを要求する場合、前記端末のアクセスを許可するステップ、
前記第２ネットワークエレメントが第１プライベート通信網をサポートし、端末がタイプＡの第２プライベート通信網へのアクセスを要求する場合、前記端末のアクセスを許可するステップ、
前記第２ネットワークエレメントが第１プライベート通信網をサポートし、前記第１プライベート通信網への端末のローミングを許可し、且つ前記端末がタイプＡのプライベート通信網へのアクセスを要求する場合、前記端末のアクセスを許可するステップ、
前記第２ネットワークエレメントが第１公衆通信網をサポートし、前記第１公衆通信網への端末のローミングを許可し、且つ前記端末がタイプＡのプライベート通信網へのアクセスを要求する場合、前記端末のアクセスを許可するステップ、
前記第２ネットワークエレメントが第１プライベート通信網をサポートし、第２プライベート通信網からの端末の前記第１プライベート通信網へのローミングを許可し、且つ前記端末がタイプＡのプライベート通信網へのアクセスを要求する場合、前記端末のアクセスを許可するステップ、
前記第２ネットワークエレメントが第１公衆通信網をサポートし、第１プライベート通信網からの端末の前記第１公衆通信網へのローミングを許可し、且つ前記端末がタイプＡのプライベート通信網へのアクセスに要求する場合、前記端末のアクセスを許可するステップが実現される。
【０３４５】
選択可能に、コンピュータプログラムがプロセッサ２３０１によって実行されると、更に、
端末がアクセスを要求するプライベート通信網をサポートするＣＮネットワークエレメントを選択するステップ、
端末がアクセスを要求するプライベート通信サービスをサポートするＣＮネットワークエレメントを選択するステップ、
端末が前記第１プライベート通信網へのアクセスを要求する場合、前記第１プライベート通信網をサポートするＣＮネットワークエレメントを選択するステップ、
前記第２ネットワークエレメントが第１プライベート通信網をサポートし、端末がタイプＡの第２プライベート通信網へのアクセスを要求する場合、前記第１プライベート通信網をサポートするＣＮネットワークエレメントを選択するステップ、
前記第２ネットワークエレメントが第１プライベート通信網をサポートし、端末の前記第１プライベート通信網へのローミングを許可し、且つ前記端末がタイプＡのプライベート通信網へのアクセスを要求する場合、前記第１プライベート通信網をサポートするＣＮネットワークエレメントを選択するステップ、
前記第２ネットワークエレメントが第１公衆通信網をサポートし、端末の前記第１公衆通信網へのローミングを許可し、且つ前記端末がタイプＡのプライベート通信網へのアクセスを要求する場合、前記第１公衆通信網をサポートするＣＮネットワークエレメントを選択するステップ、
前記第２ネットワークエレメントが第１プライベート通信網をサポートし、第２プライベート通信網からの端末の前記第１プライベート通信網へのローミングを許可し、且つ前記端末がタイプＡのプライベート通信網へのアクセスを要求する場合、前記第１プライベート通信網をサポートするＣＮネットワークエレメントを選択するステップ、
前記第２ネットワークエレメントが第１公衆通信網をサポートし、第１プライベート通信網からの前記端末の前記第１公衆通信網へのローミングを許可し、且つ前記端末がタイプＡのプライベート通信網へのアクセスに要求する場合、前記第１公衆通信網をサポートするＣＮネットワークエレメントを選択するステップが実現される。
【０３４６】
シナリオ３：ネットワークエレメント２３００は、上記の方法の実施例における第３ネットワークエレメントを具現化する。
【０３４７】
コンピュータプログラムがプロセッサ２３０１によって実行されると、
端末のプライベート通信サービスの能力、端末が要求するプライベート通信サービスの情報、端末がアクセスを要求するプライベート通信網の情報、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報の少なくとも１つを含む第３情報を取得するステップと、
取得した前記第３情報に基づいて、プライベート通信サービスの情報、移動制御情報、上位アプリケーションのルーティング情報の少なくとも１つを含む第１情報を決定するステップとが実現される。
【０３４８】
選択可能に、コンピュータプログラムがプロセッサ２３０１によって実行されると、前記端末及び前記ＲＡＮネットワークエレメントの少なくとも１つを含む第２目標側に前記第１情報を送信するステップが実現される。
【０３４９】
シナリオ４：ネットワークエレメント２３００は、上記の方法の実施例における第４ネットワークエレメントを具現化する。
【０３５０】
コンピュータプログラムがプロセッサ２３０１によって実行されると、
端末がアクセスするプライベート通信サービスの情報、端末がアクセスする第１プライベート通信網の情報、移動制御情報、第６ネットワークエレメントがサポートするプライベート通信サービスの能力、第６ネットワークエレメントがサポートするプライベート通信網の情報を含む第４情報を取得するステップと、
前記第４情報に基づいて前記端末のネットワーク移動動作を決定するステップとが実現される。
【０３５１】
選択可能に、前記ネットワーク移動動作は、第１プライベート通信網内の移動動作、第１プライベート通信網と、第２プライベート通信網及び公衆通信網の少なくとも１つを含む第２ネットワークとの間の移動動作の少なくとも１つを含む。
【０３５２】
選択可能に、コンピュータプログラムがプロセッサ２３０１によって実行されると、
目標ネットワークエレメントの選択、前記第４情報の目標ネットワークエレメントへの送信、端末の目標ネットワークエレメントへの移行、第１移動情報の送信、ローミング禁止の関連動作の少なくとも１つのステップが実現される。
ここで、目標ネットワークエレメントは、目標ＲＡＮネットワークエレメント、目標ＣＮネットワークエレメント、目標ＡＭＦの少なくとも１つを含む。
【０３５３】
選択可能に、端末が第１プライベート通信網内を移動し、又は第２ネットワークから第１プライベート通信網に移動した場合、コンピュータプログラムがプロセッサ２３０１によって実行されると、
前記端末がアクセスするプライベート通信網をサポートする第６ネットワークエレメントを目標ネットワークエレメントとして選択するステップ、
前記第６ネットワークエレメントが第１プライベート通信網をサポートし、前記端末が前記第１プライベート通信網にアクセスする場合、前記第１プライベート通信網をサポートする第６ネットワークエレメントを目標ネットワークエレメントとして選択するステップ、
前記端末がアクセスするプライベート通信サービスをサポートする第６ネットワークエレメントを目標ネットワークエレメントとして選択するステップ、
前記第６ネットワークエレメントが第１プライベート通信サービスをサポートし、前記端末が前記第１プライベート通信サービスにアクセスする場合、前記第１プライベート通信サービスをサポートする第６ネットワークエレメントを目標ネットワークエレメントとして選択するステップ、
端末がアクセスするプライベート通信網を第６ネットワークエレメントがサポートしない場合、移動制御情報に基づいて、アクセスが許可される第２ネットワークの目標ネットワークエレメントを選択するステップが実現される。
【０３５４】
選択可能に、端末が第１プライベート通信網から出た場合、前記の目標ネットワークエレメントを選択する動作は、コンピュータプログラムがプロセッサ２３０１によって実行されると、
第２ネットワークへアクセスが許可される場合、第２ネットワークをサポートする第６ネットワークエレメントを目標ネットワークエレメントとして選択するステップ、
第２ネットワークへアクセスが許可される場合、端末を第２ネットワークに移行させる動作を開始するステップの少なくとも１つが実現される。
【０３５５】
選択可能に、端末が第１プライベート通信網と第２ネットワークとの間を移動する際に、コンピュータプログラムがプロセッサ２３０１によって実行されると、
第１移動情報を送信するステップ、
ＲＡＮネットワークエレメントとＣＮネットワークエレメントとの間の通信インタフェースである第１インタフェースに基づくハンドオーバが開始するステップの少なくとも１つが実現される。
【０３５６】
シナリオ５：ネットワークエレメント２３００は、上記の方法の実施例における第５ネットワークエレメントを具現化する。
【０３５７】
コンピュータプログラムがプロセッサ２３０１によって実行されると、
端末がアクセスを要求するプライベート通信網、端末のプライベート通信サービスの能力、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報のうちの少なくとも１つを含む第５情報を取得するステップと、
取得した前記第５情報に基づいて、移動制御情報、端末がアクセスするプライベート通信サービスの情報、端末がアクセスする第１プライベート通信網の情報、第６ネットワークエレメントがサポートするプライベート通信サービスの能力、第６ネットワークエレメントがサポートするプライベート通信網の情報の少なくとも１つを含む第４情報を決定するステップとが実現される。
【０３５８】
選択可能に、コンピュータプログラムがプロセッサ２３０１によって実行されると、更に、前記端末及び前記ＲＡＮネットワークエレメントの少なくとも１つを含む第２目標側に前記第４情報を送信するステップが実現される。
【０３５９】
図２３において、バスアーキテクチャは、任意数の相互接続するバスとブリッジを含み、具体的に、プロセッサ２３０１をはじめとする１つ又は複数のプロセッサとメモリ２３０２をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ２３０４は、複数の部品であってもよく、即ち送信機と受信機を含み、伝送媒体でほかの各種類の装置と通信するユニットとして提供される。ユーザ端末によっては、ユーザインタフェース２３０３は、内部接続や外部接続する機器のインタフェースであってもよい。接続する機器は、キーパッド、ディスプレイ、スピーカ、マイクロフォン、ジョイスティックなどを含むが、それらに限られない。
【０３６０】
プロセッサ２３０１は、バスアーキテクチャと通常の処理を管理する。メモリ２３０２は、プロセッサ２６０１による操作実行に使用されるデータを記憶できる。
【０３６１】
ネットワークエレメント２３００は、上記図２、図３、図４、図６又は図７に対応する方法の実施例でネットワークエレメントによって実現される各手順を実現することができ、重複を避けるために、ここでは繰り返して述べない。
【０３６２】
本開示の実施例は、コンピュータプログラムが格納されているコンピュータ読み取り可能な記憶媒体を更に提供し、該コンピュータプログラムがプロセッサによって実行されると、上記図１、図２、図３、図４、図５、図６又は図７に対応する方法の実施例の各プロセスが実現され、且つ同じ技術効果を奏することもできるので、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０３６３】
なお、本明細書において、「含む」や「含有する」又はそれ以外のあらゆる変形用語は、非排他的に含むことを意味する。よって、一連のユニットを含むプロセス、方法、モノ又は装置は、それらのユニットを含むだけではなく、明確に列挙されていない他のユニットを更に含み、又はこのようなプロセス、方法、モノ又は装置に固有のユニットを更に含む。特に限定されない限り、「…を１つ含む」の表現によって限定されるユニットについて、当該ユニットを含むプロセス、方法、モノ又は装置に他の同一ユニットの存在を除外しない。
【０３６４】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末（携帯電話、コンピュータ、サーバ、空調機又はネットワークデバイスなど）に実行させるいくつかの指令を含む。
【０３６５】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１ａ】
2021528023.tif 000003
【図１ｂ】
2021528023.tif 000004
【図１ｃ】
2021528023.tif 000005
【図２】
2021528023.tif 000006
【図３】
2021528023.tif 000007
【図４】
2021528023.tif 000008
【図５】
2021528023.tif 000009
【図６】
2021528023.tif 000010
【図７】
2021528023.tif 000011
【図８】
2021528023.tif 000012
【図９】
2021528023.tif 000013
【図１０】
2021528023.tif 000014
【図１１】
2021528023.tif 000015
【図１２】
2021528023.tif 000016
【図１３】
2021528023.tif 000017
【図１４】
2021528023.tif 000018
【図１５】
2021528023.tif 000019
【図１６】
2021528023.tif 000020
【図１７】
2021528023.tif 000021
【図１８】
2021528023.tif 000022
【図１９】
2021528023.tif 000023
【図２０】
2021528023.tif 000024
【図２１】
2021528023.tif 000025
【図２２】
2021528023.tif 000026
【図２３】
2021528023.tif 000027
【手続補正書】
【提出日】令和3年1月14日(2021.1.14)
【手続補正１】
【補正対象書類名】明細書
【補正対象項目名】００２１
【補正方法】変更
【補正の内容】
【００２１】
第１４態様として、本開示の実施例は、第５ネットワークエレメントを提供する。
第５ネットワークエレメントであって、
端末がアクセスを要求するプライベート通信網、端末のプライベート通信サービスの能力、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報のうちの少なくとも１つを含む第５情報を取得する第６取得モジュールと、
取得した前記第５情報に基づいて、移動制御情報、端末がアクセスするプライベート通信サービスの情報、端末がアクセスする第１プライベート通信網の情報、第６ネットワークエレメントがサポートするプライベート通信サービスの能力、第６ネットワークエレメントがサポートするプライベート通信網の情報の少なくとも１つを含む第４情報を決定する第６決定モジュールとを含む。
【手続補正２】
【補正対象書類名】明細書
【補正対象項目名】００５９
【補正方法】変更
【補正の内容】
【００５９】
更に、前記事業者ネットワーク情報は、少なくとも、公衆陸上移動体ネットワークＰＬＭＮの識別子のような事業者ネットワークの識別子を含む。
【手続補正３】
【補正対象書類名】明細書
【補正対象項目名】００７６
【補正方法】変更
【補正の内容】
【００７６】
更に、前記アプリケーション情報は、アプリケーションの識別子、ＩＰトリプル、ＩＰファイブタプル、宛先ＩＰアドレス、宛先ＩＰｖ６プレフィックス、ソースＩＰアドレス、ソースＩＰｖ６プレフィックス、宛先ポート番号、ソースポート番号、プロトコル識別子の少なくとも１つを含む。ソースメディアアクセス制御ＭＡＣ（Ｍｅｄｉａ  Ａｃｃｅｓｓ  Ｃｏｎｔｒｏｌ）アドレス、宛先ＭＡＣアドレスイーサネット識別子。
【手続補正４】
【補正対象書類名】明細書
【補正対象項目名】０１０３
【補正方法】変更
【補正の内容】
【０１０３】
更に、プライベート通信サービスの能力は、極度の信頼性の低い低遅延通信ＵＲＬＬＣ（Ｕｌｔｒａ−Ｒｅｌｉａｂｌｅ  Ｌｏｗ−Ｌａｔｅｎｃｙ  Ｃｏｍｍｕｎｉｃａｔｉｏｎｓ）をサポートするか否か、時間敏感ネットワーク（Ｔｉｍｅ  Ｓｅｎｓｉｔｉｖｅ  Ｎｅｔｗｏｒｋ）をサポートするか否かの少なくとも１つを含む。
【手続補正５】
【補正対象書類名】明細書
【補正対象項目名】０１２０
【補正方法】変更
【補正の内容】
【０１２０】
更に、前記の取得した前記第３情報に基づいて第１情報を決定した後に、前記方法は、前記端末と前記ＲＡＮネットワークエレメントの少なくとも１つを含む第２目標側に前記第１情報を送信することを更に含む。
【手続補正６】
【補正対象書類名】明細書
【補正対象項目名】０１２１
【補正方法】変更
【補正の内容】
【０１２１】
もちろん、一部の実施形態において、前記の取得した前記第３情報に基づいて第１情報を決定した後に、端末のネットワークエレメントとの通信プロトコルに上記第１情報を固定化する。このように、端末とネットワークエレメントが直接プロトコルから第１情報を読み取ることができ、端末とネットワークエレメントとの間のシグナリングのやり取りを減少させ、システムリソースを節約することができる。
【手続補正７】
【補正対象書類名】明細書
【補正対象項目名】０１７４
【補正方法】変更
【補正の内容】
【０１７４】
もちろん、一部の実施形態において、前記の取得した前記第５情報に基づいて第４情報を決定した後に、端末のネットワークエレメントとの通信プロトコルに上記第４情報を固定化する。このように、端末とネットワークエレメントが直接プロトコルから第４情報を読み取ることができ、端末とネットワークエレメントとの間のシグナリングのやり取りを減少させ、システムリソースを節約することができる。
【手続補正８】
【補正対象書類名】明細書
【補正対象項目名】０１７８
【補正方法】変更
【補正の内容】
【０１７８】
理解を容易にするために、本開示は、以下のいくつかの実施例を提供し、本開示の実施例の処理方法を説明する。
【手続補正９】
【補正対象書類名】明細書
【補正対象項目名】０２２０
【補正方法】変更
【補正の内容】
【０２２０】
ステップ１９において、ＳＭＦは、Ｎ４セッション修正をＨ−ＵＰＦに送信する。
【手続補正１０】
【補正対象書類名】明細書
【補正対象項目名】０２２１
【補正方法】変更
【補正の内容】
【０２２１】
ステップ２０において、ＳＭＦは、ソースＡＭＦにＳＭコンテキスト更新応答を送信する。
【手続補正１１】
【補正対象書類名】明細書
【補正対象項目名】０２３５
【補正方法】変更
【補正の内容】
【０２３５】
ソースＡＭＦは、ＰＤＵセッション更新要求又は端末位置通知メッセージをＳＭＦに送信する。ＰＤＵセッションのハングアップ又はＰＤＵセッションのリリースを要求する。
【手続補正１２】
【補正対象書類名】明細書
【補正対象項目名】０２４５
【補正方法】変更
【補正の内容】
【０２４５】
Ｈ−ＳＭＦは、第１移動指示情報に基づいて、ハンドオーバされるＰＤＵセッションを選択する。１つの実施形態において、すべてのＰＤＵセッションについて、プライベート通信網から公衆通信網へのハンドオーバが許可されるわけではない。
【手続補正１３】
【補正対象書類名】明細書
【補正対象項目名】０２５７
【補正方法】変更
【補正の内容】
【０２５７】
ステップ１５において、ソースＲＡＮネットワークエレメントは、端末にＲＲＣメッセージを送信する。ＲＲＣメッセージには、ハンドオーバコマンドが含まれる。
【手続補正１４】
【補正対象書類名】明細書
【補正対象項目名】０２８８
【補正方法】変更
【補正の内容】
【０２８８】
選択可能に、前記第３ネットワークエレメント１８００は、前記の取得した前記第３情報に基づいて第１情報を決定した後に、前記端末及び前記ＲＡＮネットワークエレメントの少なくとも１つを含む第２目標側に前記第１情報を送信する第２送信モジュールを更に含む。
【手続補正１５】
【補正対象書類名】明細書
【補正対象項目名】０２９６
【補正方法】変更
【補正の内容】
【０２９６】
図２０は、本開示の実施例に係る第４ネットワークエレメントの構造図である。本実施例に係る第４ネットワークエレメントは、ＲＡＮネットワークエレメント、ＡＭＦ又はＳＭＦの少なくとも１つを含む。図２０に示すように、第４ネットワークエレメント２０００は、
端末がアクセスするプライベート通信サービスの情報、端末がアクセスする第１プライベート通信網の情報、移動制御情報、第６ネットワークエレメントがサポートするプライベート通信サービスの能力、第６ネットワークエレメントがサポートするプライベート通信網の情報の少なくとも１つを含む第４情報を取得する第５取得モジュール２００１と、
前記第４情報に基づいて前記端末のネットワーク移動動作を決定する第５決定モジュール２００２とを含む。
【手続補正１６】
【補正対象書類名】明細書
【補正対象項目名】０３６０
【補正方法】変更
【補正の内容】
【０３６０】
プロセッサ２３０１は、バスアーキテクチャと通常の処理を管理する。メモリ２３０２は、プロセッサ２３０１による操作実行に使用されるデータを記憶できる。
【手続補正１７】
【補正対象書類名】特許請求の範囲
【補正対象項目名】全文
【補正方法】変更
【補正の内容】
【特許請求の範囲】
【請求項１】
端末に応用される処理方法であって、
プライベート通信サービスの情報、移動制御情報、上位アプリケーションのルーティング情報の少なくとも１つを含む第１情報を取得することと、
前記第１情報に基づいてネットワークアクセス動作を決定することとを含む、処理方法。
【請求項２】
ネットワークアクセス動作を決定することは、
アクセス先の通信網のタイプを決定すること、アクセス先の通信網を選択すること、プライベート通信サービスをサポートするネットワークである第１ネットワークへのアクセス方式を決定することを含む、請求項１に記載の処理方法。
【請求項３】
前記のアクセス先の通信網のタイプを決定することは、
上位アプリケーションに許可される通信網のタイプに基づいて、プライベート通信網にアクセスするか、又は公衆通信網にアクセスするかを決定することを含み、
前記のアクセス先の通信網を選択することは、
ネットワークがサポートするプライベート通信網に基づいて、アクセス先の通信網を選択することを含み、
前記の第１ネットワークへのアクセス方式を決定することは、
前記端末がサポートするプライベート通信サービスの能力、及び前記端末がアクセスを要求するプライベート通信網の情報のうちの少なくとも１つを前記第１ネットワークに送信することを含む、請求項２に記載の処理方法。
【請求項４】
前記プライベート通信サービスの情報は、
プライベート通信サービスの指示情報、プライベート通信網をサポートする事業者ネットワーク情報、プライベート通信網の情報、プライベート通信サービスが許可されるエリア範囲情報、プライベート通信サービスが禁止されるエリア範囲情報、プライベート通信サービスが許可される上位アプリケーションのアプリケーション情報、プライベート通信サービスが禁止される上位アプリケーションのアプリケーション情報の少なくとも１つを含む、請求項１に記載の処理方法。
【請求項５】
前記プライベート通信網の情報は、公衆陸上移動体ネットワークＰＬＭＮの識別子、プライベート通信網の識別子、プライベート通信網のタイプの少なくとも１つを含む、請求項４に記載の処理方法。
【請求項６】
異なる事業者のネットワークにおける前記プライベート通信網の識別子は異なり、又は、前記プライベート通信網の識別子はグローバルに一意である、請求項５に記載の処理方法。
【請求項７】
前記移動制御情報は、
第２プライベート通信網及び公衆通信網の少なくとも１つを含む第２ネットワークへのアクセス可否、アクセスが許可される第２ネットワークのネットワーク情報、アクセスが禁止される第２ネットワークのネットワーク情報、公衆通信網へのアクセスが許可されるプライベート通信サービスのアプリケーション情報、第２ネットワークへのアクセスが許可される第１プライベート通信網のアプリケーション情報の少なくとも１つを含む、請求項１に記載の処理方法。
【請求項８】
前記上位アプリケーションのルーティング情報は、アプリケーション情報、ルーティング記述情報の少なくとも１つを含み、
前記ルーティング記述情報は、
プライベート通信サービスのネットワークスライス情報、プライベート通信サービスのデータネットワーク名ＤＮＮ、プライベート通信サービスのセッション及びサービス継続性ＳＳＣモード、プライベート通信サービスのパケットデータネットワークＰＤＮタイプ、優先的にアクセスする通信網のタイプ、アクセスが許可される通信網のタイプ、アクセスが禁止される通信網のタイプ、優先的にアクセスする通信網のネットワーク情報、アクセスが許可される通信網のネットワーク情報、アクセスが禁止される通信網のネットワーク情報、優先的にアクセスする通信サービスのタイプ、許可される通信サービスのタイプ、禁止される通信サービスのタイプの少なくとも１つを含む、請求項１に記載の処理方法。
【請求項９】
第１ネットワークがサポートするプライベート通信網の情報を取得することを更に含み、
前記の前記第１情報に基づいてネットワークアクセス動作を決定することは、
前記第１情報に含まれるライベート通信サービスの情報及び第１ネットワークエレメントがサポートするプライベート通信網の識別子に基づいて、ネットワークアクセス動作を決定することを含む、請求項１に記載の処理方法。
【請求項１０】
前記の前記第１情報に含まれるライベート通信サービスの情報及び前記第１ネットワークエレメントがサポートするプライベート通信網の識別子に基づいて、ネットワークアクセス動作を決定することは、
前記第１情報に含まれるライベート通信サービスの情報及び前記第１ネットワークエレメントがサポートするプライベート通信網の識別子に基づいて、ライベート通信サービスをサポートする第１ネットワークを選択することと、
前記端末がアクセスを要求するプライベート通信網の情報を前記第１ネットワークに送信することとを含む、請求項９に記載の処理方法。
【請求項１１】
第１ネットワークエレメントに応用される処理方法であって、
前記第１ネットワークエレメントにサポートされるプライベート通信網の情報、前記第１ネットワークエレメントがプライベート通信サービスをサポートする能力、プライベート通信網のリダイレクト情報のうちの少なくとも１つを第１目標側に送信することを含む、処理方法。
【請求項１２】
前記サポートされるプライベート通信網の情報は、
サポートされるプライベート通信網の識別子、サポートされるプライベート通信網の周波数ポイント、サポートされるプライベート通信網のリダイレクトの周波数ポイント情報の少なくとも１つを含む、請求項１１に記載の処理方法。
【請求項１３】
第２ネットワークエレメントに応用される処理方法であって、
端末のプライベート通信サービスの能力、端末がアクセスを要求するプライベート通信サービスの情報、端末がアクセスを要求するプライベート通信網の情報、ＣＮネットワークエレメントがサポートするプライベート通信サービスの能力、ＣＮネットワークエレメントがサポートするプライベート通信網の情報、端末がアクセスするプライベート通信サービスの情報、端末がアクセスするプライベート通信網の情報、ＲＡＮネットワークエレメントがサポートするプライベート通信サービスの能力、ＲＡＮネットワークエレメントがサポートするプライベート通信網の情報のうちの少なくとも１つを含む第２情報を取得することと、
取得した前記第２情報に基づいて、端末のアクセス動作を許可するか否かを決定すること、及び／又は、ＣＮネットワークエレメントの選択動作を決定することを含む、処理方法。
【請求項１４】
前記の端末のアクセス動作を許可するか否かを決定することは、
前記第２ネットワークエレメントがプライベート通信網をサポートせず、端末がタイプＢのプライベート通信網へのアクセスを要求する場合、前記端末のアクセスを禁止すること、
前記第２ネットワークエレメントが第１プライベート通信網をサポートし、且つ端末が前記第１プライベート通信網へのアクセスを要求する場合、前記端末のアクセスを許可すること、
前記第２ネットワークエレメントが第１プライベート通信網をサポートし、端末がタイプＡの第２プライベート通信網へのアクセスを要求する場合、前記端末のアクセスを許可すること、
前記第２ネットワークエレメントが第１プライベート通信網をサポートし、前記第１プライベート通信網への端末のローミングを許可し、且つ前記端末がタイプＡのプライベート通信網へのアクセスを要求する場合、前記端末のアクセスを許可すること、
前記第２ネットワークエレメントが第１公衆通信網をサポートし、前記第１公衆通信網への端末のローミングを許可し、且つ前記端末がタイプＡのプライベート通信網へのアクセスを要求する場合、前記端末のアクセスを許可すること、
前記第２ネットワークエレメントが第１プライベート通信網をサポートし、第２プライベート通信網からの端末が前記第１プライベート通信網へのローミングを許可し、且つ前記端末がタイプＡのプライベート通信網へのアクセスを要求する場合、前記端末のアクセスを許可すること、
前記第２ネットワークエレメントが第１公衆通信網をサポートし、第１プライベート通信網からの端末が前記第１公衆通信網へのローミングを許可し、且つ前記端末がタイプＡのプライベート通信網へのアクセスに要求する場合、前記端末のアクセスを許可することのうちの少なくとも１つを含む、請求項１３に記載の処理方法。
【請求項１５】
前記のＣＮネットワークエレメントの選択動作を決定することは、
端末がアクセスを要求するプライベート通信網をサポートするＣＮネットワークエレメントを選択すること、
端末がアクセスを要求するプライベート通信サービスをサポートするＣＮネットワークエレメントを選択すること、
端末が前記第１プライベート通信網へのアクセスを要求する場合、前記第１プライベート通信網をサポートするＣＮネットワークエレメントを選択すること、
前記第２ネットワークエレメントが第１プライベート通信網をサポートし、端末がタイプＡの第２プライベート通信網へのアクセスを要求する場合、前記第１プライベート通信網をサポートするＣＮネットワークエレメントを選択すること、
前記第２ネットワークエレメントが第１プライベート通信網をサポートし、端末の前記第１プライベート通信網へのローミングを許可し、且つ前記端末がタイプＡのプライベート通信網へのアクセスを要求する場合、前記第１プライベート通信網をサポートするＣＮネットワークエレメントを選択すること、
前記第２ネットワークエレメントが第１公衆通信網をサポートし、端末の前記第１公衆通信網へのローミングを許可し、且つ前記端末がタイプＡのプライベート通信網へのアクセスを要求する場合、前記第１公衆通信網をサポートするＣＮネットワークエレメントを選択すること、
前記第２ネットワークエレメントが第１プライベート通信網をサポートし、第２プライベート通信網からの端末が前記第１プライベート通信網へのローミングを許可し、且つ前記端末がタイプＡのプライベート通信網へのアクセスを要求する場合、前記第１プライベート通信網をサポートするＣＮネットワークエレメントを選択すること、
前記第２ネットワークエレメントが第１公衆通信網をサポートし、第１プライベート通信網からの前記端末が前記第１公衆通信網へのローミングを許可し、且つ前記端末がタイプＡのプライベート通信網へのアクセスに要求する場合、前記第１公衆通信網をサポートするＣＮネットワークエレメントを選択することのうちの少なくとも１つを含む、請求項１３に記載の処理方法。
【請求項１６】
第３ネットワークエレメントに応用される処理方法であって、
端末のプライベート通信サービスの能力、端末が要求するプライベート通信サービスの情報、端末がアクセスを要求するプライベート通信網の情報、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報の少なくとも１つを含む第３情報を取得することと、
取得した前記第３情報に基づいて、プライベート通信サービスの情報、移動制御情報、上位アプリケーションのルーティング情報の少なくとも１つを含む第１情報を決定することとを含む、処理方法。
【請求項１７】
前記の取得した前記情報に基づいて、第１情報を決定した後には、
前記第１情報を第２目標側に送信することを更に含む、請求項１６に記載の処理方法。
【請求項１８】
端末であって、
プライベート通信サービスの情報、移動制御情報、上位アプリケーションのルーティング情報の少なくとも１つを含む第１情報を取得する第１取得モジュールと、
前記第１情報に基づいてネットワークアクセス動作を決定する第１決定モジュールとを含む、端末。
【請求項１９】
第１ネットワークエレメントであって、
前記第１ネットワークエレメントにサポートされるプライベート通信網の情報、前記第１ネットワークエレメントがプライベート通信サービスをサポートする能力、プライベート通信網のリダイレクト情報のうちの少なくとも１つを、端末及びコアネットワークＣＮネットワークエレメントの少なくとも１つを含む第１目標側に送信する第１送信モジュールを含む、第１ネットワークエレメント。
【請求項２０】
第２ネットワークエレメントであって、
端末のプライベート通信サービスの能力、端末がアクセスを要求するプライベート通信サービスの情報、端末がアクセスを要求するプライベート通信網の情報、ＣＮネットワークエレメントがサポートするプライベート通信サービスの能力、ＣＮネットワークエレメントがサポートするプライベート通信網の情報、端末がアクセスするプライベート通信サービスの情報、端末がアクセスするプライベート通信網の情報、ＲＡＮネットワークエレメントがサポートするプライベート通信サービスの能力、ＲＡＮネットワークエレメントがサポートするプライベート通信網の情報のうちの少なくとも１つを含む第２情報を取得する第２取得モジュールと、
取得した前記第２情報に基づいて、端末のアクセス動作を許可するか否かを決定し、及び／又は、ＣＮネットワークエレメントの選択動作を決定する第２決定モジュールを含む、第２ネットワークエレメント。
【請求項２１】
第３ネットワークエレメントであって、
端末のプライベート通信サービスの能力、端末が要求するプライベート通信サービスの情報、端末がアクセスを要求するプライベート通信網の情報、端末のプライベート通信サービスの契約情報、ＲＡＮネットワークエレメントがサポートするプライベート通信サービスの能力、ＲＡＮネットワークエレメントがサポートするプライベート通信網の情報、ＣＮネットワークエレメントがサポートするプライベート通信サービスの能力、ＣＮネットワークエレメントがサポートするプライベート通信網の情報の少なくとも１つを含む第３情報を取得する第３取得モジュールと、
取得した前記第３情報に基づいて、プライベート通信サービスの情報、移動制御情報、上位アプリケーションのルーティング情報の少なくとも１つを含む第１情報を決定する第３決定モジュールとを含む、第３ネットワークエレメント。
【請求項２２】
コンピュータプログラムが格納されているコンピュータ読み取り可能な記憶媒体であって、
前記コンピュータプログラムがプロセッサによって実行されると、請求項１〜１７のいずれか１項に記載の処理方法が実現される、コンピュータ読み取り可能な記憶媒体。
【国際調査報告】
2021528023.tif 000028
2021528023.tif 000029
2021528023.tif 000030
2021528023.tif 000031